(57)【要約】【課題】  遊技内容に変化を付けることの可能な組合せ式遊技機を提供する。【解決手段】  複数パターンの誘導図柄を停止表示可能な図柄表示装置において、当たり図柄を、第１のパターンの図柄と第２のパターンの図柄の、少なくとも２種類の当たり図柄を設けておく。そして、第１のパターンの当たり図柄で停止表示された場合は、第２のパターンの当たり図柄で停止表示された場合よりも、第１役物作動口の開放状態を遊技球が入球し易い状態とする。こうすれば、当たり図柄によって第１役物作動口への入球し易さを変えることができるので、遊技内容に変化を付けることが可能となる。また、第１のパターンの当たり図柄の場合は、誘導増加装置作動領域の動作パターンを、遊技球が入球し易いパターンとしても良い。【選択図】  図５１
2005205052.tif 000002
【特許請求の範囲】
【請求項１】
遊技球が入球可能な複数の入球領域と、該入球領域への遊技球の入球に応じた入賞情報を表示する入賞情報表示手段とが設けられた遊技盤上に、所定数の遊技球を発射して一単位遊技を行い、この一単位遊技で該入賞情報表示手段に表示された入賞情報の組合せに基づいて賞態様を決定する組合せ式遊技機であって、
複数パターンの誘導図柄を表示可能に構成され、遊技球が誘導図柄作動ゲートを通過すると該誘導図柄を変動停止表示させる可変表示手段と、
前記可変表示手段で停止表示された誘導図柄が特定の図柄であった場合には可変入球口を開放させるとともに、該可変入球口に遊技球が入球するか、あるいは所定回数の単位遊技が終了すると該可変入球口を開放状態から復帰させる可変入球手段と
を備え、
前記可変入球手段は、前記誘導図柄が所定の第１のパターンの図柄で停止表示された場合には、前記可変入球口を所定の第１の開放状態とし、該誘導図柄が所定の第２のパターンの図柄で停止表示された場合には、該可変入球口を、該第１の開放状態よりも遊技球が入球し難い第２の開放状態とすることを特徴とする組合せ式遊技機。
【請求項２】
請求項１記載の組合せ式遊技機であって、
前記可変入球口に入球した遊技球が特定の領域に入球したとき、遊技者に有利な特別遊技状態を発生させる特別遊技状態発生手段と、
前記特定の領域を移動させる特定領域移動手段と
を備え、
前記特定領域移動手段は、前記誘導図柄が前記第１のパターンの図柄で停止表示された場合には、前記特定の領域を所定の第１の移動態様で移動させ、該誘導図柄が前記第２のパターンの図柄で停止表示された場合には、該特定の領域を、該第１の移動態様より遊技球が入球し難い第２の移動態様で移動させることを特徴とする組合せ式遊技機。
【発明の詳細な説明】
【技術分野】
【０００１】
本発明は、遊技盤上に所定数の遊技球を発射することにより、１回の単位遊技（ゲーム）を終了させ、単位遊技中に獲得された得点に応じた賞球を遊技者に払い出す組合せ式遊技機に関する。
【背景技術】
【０００２】
従来より、遊技盤上に規定数（例えば、１５個または１６個など）の遊技球を発射することにより１回の単位遊技を終了させる組合せ式遊技機（アレンジボール遊技機）が知られている。この組合せ式遊技機は、発射された遊技球が所定の入球口に入球すると対応する入賞図柄が点灯表示するように構成されており、規定数の遊技球を発射すると、入球した入球口の組合せに応じた入賞図柄の組合せが表示される。そして、表示された入賞図柄の組合せが、予め定められた図柄の組合せである場合には得点が付与され、この得点に応じた賞球が遊技者に払い出されることで遊技が行われている。
【０００３】
また、従来の組合せ式遊技機の中には、複数の識別図柄を変動停止表示する可変表示装置を備え、その破片表示装置に停止表示された識別図柄が予め定められた特定の図柄となった場合に、得点を容易に獲得可能に構成された遊技機も知られている（例えば、特許文献１）。
【０００４】
【特許文献１】特開２００３−２９１９８９号公報
【発明の開示】
【発明が解決しようとする課題】
【０００５】
しかし、こうした組合せ式遊技機では、可変表示装置にて行われる変動表示を、例えばパチンコ遊技機で行われているように多くのリーチアクションを盛り込んで、多彩な演出を行うことは困難であり、その結果として遊技が単調になってしまうという問題があった。これは、リーチアクションを盛り込むなど多彩な演出を行うと、いきおい変動時間が長くなって、次の単位遊技に進むことができず、遊技機の稼働率が低下するおそれがあるためである。
【０００６】
この発明は、従来技術が有する上述した課題を解決するためになされたものであり、単位遊技を開始したときの遊技条件に変化を与えることで遊技内容に大きな変化を付けることを可能とし、これにより遊技が単調になることを解消して、遊技者の興趣を高めることの可能な組合せ式遊技機を提供することを目的とする。
【課題を解決するための手段】
【０００７】
上述した課題の少なくとも一部を解決するために、本発明の組合せ式遊技機は次の構成を採用した。すなわち、
遊技球が入球可能な複数の入球領域と、該入球領域への遊技球の入球に応じた入賞情報を表示する入賞情報表示手段とが設けられた遊技盤上に、所定数の遊技球を発射して一単位遊技を行い、この一単位遊技で該入賞情報表示手段に表示された入賞情報の組合せに基づいて賞態様を決定する組合せ式遊技機であって、
複数パターンの誘導図柄を表示可能に構成され、遊技球が誘導図柄作動ゲートを通過すると該誘導図柄を変動停止表示させる可変表示手段と、
前記可変表示手段で停止表示された誘導図柄が特定の図柄であった場合には可変入球口を開放させるとともに、該可変入球口に遊技球が入球するか、あるいは所定回数の単位遊技が終了すると該可変入球口を開放状態から復帰させる可変入球手段と
を備え、
前記可変入球手段は、前記誘導図柄が所定の第１のパターンの図柄で停止表示された場合には、前記可変入球口を所定の第１の開放状態とし、該誘導図柄が所定の第２のパターンの図柄で停止表示された場合には、該可変入球口を、該第１の開放状態よりも遊技球が入球し難い第２の開放状態とすることを特徴とする。
【０００８】
かかる組合せ式遊技機においては、遊技球が誘導図柄作動ゲートを通過すると可変表示手段で誘導図柄の変動表示が開始され、その後、特定の図柄で誘導図柄が停止表示された場合には、可変入球口が開放状態となって遊技球が入球し易くなる。遊技球が入球し易くなれば、それだけ大きな賞態様を獲得し易い遊技状態となる。ここで、可変表示手段は複数パターンの誘導図柄を変動表示可能に構成されている。そして、停止表示された誘導図柄が第１のパターンの図柄である場合は、可変入球口は第１の開放状態となる。また、停止表示された誘導図柄が第２のパターンの図柄である場合は、可変入球口は、第１の開放状態よりも遊技球の入球し難い第２の開放状態となる。従って、可変表示手段で誘導図柄が第１のパターンの図柄で停止表示された場合と、第２のパターンの図柄で停止表示された場合とでは、獲得が期待される賞態様の大きさは異なったものとなり、第１のパターンの図柄で停止表示された方が大きな賞態様の獲得が期待されることになる。このように、獲得が期待される賞態様の大きさに変化を付けることができれば、遊技内容にメリハリを付けることができ、遊技者の興趣を効果的に高めることが可能となる。
【０００９】
こうした組合せ式遊技機においては、次のようにしてもよい。先ず、可変入球口に入球した遊技球が特定の領域に入球したとき、遊技者に有利な特別遊技状態を発生させることとしておく。そして、特定の領域を移動可能としておき、誘導図柄が第１のパターンの図柄で停止表示された場合は、該特定の領域を所定の第１の移動態様で移動させる。また、誘導図柄が第２のパターンの図柄で停止表示された場合は、該特定の領域を、第１の移動態様よりは遊技球が入球し難い第２の移動態様で移動させることとしてもよい。
【００１０】
かかる組合せ式遊技機では、誘導図柄が第１のパターンの図柄で停止表示された場合には、可変入球口は第１の開放状態となり、特定の領域は第１の移動態様で移動する。また、誘導図柄が第２のパターンの図柄で停止表示された場合には、可変入球口は第２の開放状態となり、特定の領域は第２の移動態様で移動する。ここで、第２の開放状態は第１の開放状態よりも遊技球が入球し難い状態であり、第２の移動態様は第１の移動態様よりも遊技球が入球し難い態様となっている。すなわち、誘導図柄が第１のパターンの図柄で停止表示された場合は、第２のパターンの図柄で停止表示された場合に比べて、可変入球口に遊技球が入球し易く、更に、可変入球口から入球した遊技球が特定の領域に入球して、特別遊技状態が発生し易くなる。このため、誘導図柄が第１のパターンの図柄で停止表示される場合と、第２のパターンの図柄で停止表示される場合とでは、獲得が期待される賞態様の大きさに顕著な差が生じることとなって、遊技内容に大きなメリハリをつけることができ、延いては、遊技者の興趣を大きく向上させることが可能となる。
【発明を実施するための最良の形態】
【００１１】
以下では、上述した本願発明の内容を明確にするために、次のような順序に従って実施例を説明する。
Ａ．アレンジボール遊技機の装置構成：
Ａ−１．全体構成：
Ａ−２．ガイドレールおよび発射装置ユニットの構造：
Ａ−３．遊技盤の構成：
Ａ−３．裏面構造：
Ｂ．電子制御装置の構成：
Ｂ−１．全体構成：
Ｂ−２．払出制御部の構成：
Ｂ−３．発射制御部の構成：
Ｂ−４．音ランプ制御部の構成：
Ｂ−５．図柄制御部の構成：
Ｂ−６．遊技確認時間：
Ｃ．遊技球発射制御の概要：
Ｄ．パチンコ機全体の制御の概要：
Ｄ−１．メインジョブの概要：
Ｄ−２．電源投入処理：
Ｄ−３．遊技開始処理：
Ｄ−４．ゲーム管理処理：
Ｄ−５．入賞図柄処理：
Ｄ−６．役物遊技処理：
Ｄ−７．得点増加装置処理：
Ｄ−８．誘導増加装置処理：
Ｄ−９．誘導図柄および役物誘導装置処理：
Ｄ−１０．電源断発生処理：
Ｄ−１１．第１役物作動開始処理：
【００１２】
Ａ．アレンジボール遊技機の装置構成  ：
Ａ−１．全体構成  ：
図１は、本実施例のアレンジボール遊技機（以下、単に遊技機という）１の正面図である。図１に示すように、遊技機１の前面部は、本体枠２、中枠３、前面枠４、上皿部５、下皿部６、施錠装置９、遊技盤２０等を備えている。なお、図１では遊技盤２０の詳細な図示を省略している。また、中枠３は前面枠４等が前面側に配置されているため、図１においては明示されていない。
【００１３】
本体枠２は、木製の板状体を略長方形の枠状に組立てて形成されており、遊技機１の外枠を構成する。本体枠２の内側には、プラスチック製の中枠３が左端で軸支されて、本体枠２に対して開閉可能な状態ではめ込まれている。この中枠３の上側２／３程度を占める部分は枠体部となっており、下側１／３程度を占める部分は下板部となっている。
【００１４】
中枠３の下側を占める下板部には、上皿部５および下皿部６に加えて、発射装置ユニット１０（図２、図４参照）や、球送り装置１２（図７参照）、球送りカウントスイッチ、発射球カウントスイッチ、検出スイッチ、スピーカ２６６（図２８参照）などが設けられている。発射装置ユニット１０は、遊技球を遊技盤２０に発射する遊技球発射手段を構成しており、球送り装置１２は、この発射装置ユニットに遊技球を供給する。発射装置ユニット１０に供給される遊技球は、球送りカウントスイッチによって検知され、発射される遊技球は、発射球カウントスイッチによって検知される。また、発射装置ユニット１０から発射された遊技球のうち遊技盤２０面に到達しなかった遊技球は、ファール球検出スイッチによって検知される。本実施例のスピーカ２６６は、中高音用スピーカ（ツイータ）および低音用スピーカ（ウーフア）とを含んで構成されていて、遊技状態に応じた効果音等を発生させることができる。上皿部５および下皿部６の詳細については後述する。
【００１５】
一方、中枠３の上側を占める枠体部には、その前面側に遊技盤２０が、更にその前面側に前面枠４が設けられており、前面枠４は中枠３の左端で開閉可能に軸支されている。前面枠４は、奥側に配置される遊技盤２０の盤面を視認可能にするために、円形状の開口部４ａが形成されており、この開口部４ａにはガラス板等の透明板がはめ込まれている。
【００１６】
前面枠４は、プラスチック材料で形成されており、遊技効果等のためのランプ類として、左ＬＥＤ表示部４ｂ、右ＬＥＤ表示部４ｃ、左上ＬＥＤ表示部４ｄ、右上ＬＥＤ表示部４ｅ、上ＬＥＤ表示部４ｆが設けられている。左ＬＥＤ表示部４ｂと右ＬＥＤ表示部４ｃとは、開口部４ａの周囲の右側と左側にそれぞれ円弧状に設けられている。左上ＬＥＤ表示部４ｄは左ＬＥＤ表示部４ａの左上方に設けられ、右上ＬＥＤ表示部４ｅは右ＬＥＤ表示部４ｃの右上方に設けられている。上ＬＥＤ表示部４ｆは円形状に形成され、左ＬＥＤ表示部４ｂの上端部と右ＬＥＤ表示部４ｃの上端部との問に２個設けられている。これらのＬＥＤ表示部４ａ〜４ｆは、遊技効果を高めるためにゲーム進行に応じて点灯・消灯あるいは点滅する。
【００１７】
また、２個の上ＬＥＤ表示部４ｆの間には、２個の賞球ＬＥＤ表示部４ｇが設けられている。賞球表示ＬＥＤ表示部４ｇの上方には、扇形のエラーＬＥＤ表示部４ｈが設けられている。本実施例のエラーＬＥＤ表示部４ｈは、重度のエラー発生の場合は赤色に、軽度のエラー発生の場合はオレンジ色に点灯あるいは点滅する。ここで、重度のエラーとは、例えば復旧のために前面枠４を開放して作業を行う必要があったり、あるいは部品を交換したりする必要があるような場合のエラーであり、軽度のエラーとは、それ以外のエラーである。
【００１８】
また、前面枠４には、図示しないドアスイッチが設けられている。ドアスイッチにて前面枠４が所定時間（本例では１秒）以上開放していることが検知された場合には、後述する払出制御部２３０は前面枠開放エラーが発生したと判断し、エラーＬＥＤ表示部４ｈをオレンジ色に点灯させ、発射装置ユニット１０による発射停止を行う。前面枠開放エラーは、ドアスイッチにて前面枠４が所定時間（例えば１秒）以上閉鎖していることが検知された場合に解除される。なお、前面枠４開放に関するエラー信号は、払出制御部２３０から後述の主制御部２００には送信されない。
【００１９】
前面枠４の下方には、中枠３の下板部に設けられた上皿部５が、中枠３に対して開閉可能に左端側で軸支されている。この上皿部５には、皿状の凹部と、凹部を取り巻くように形成された皿外縁部５ａとが設けられている。遊技球は、上皿部５に形成された凹部に投入されて、後述する発射装置ユニットに供給される。また、皿外縁部５ａには、遊技球の貸球ボタン、返却ボタン等に加えて、投入された遊技球を排出するための排出ボタン５ｂが設けられており、上皿部５の内部には、遊技球を排出するための機構などが設けられている。さらに、上皿部５の略中央部には複数の長孔とその上部に多数の小穴が形成された第１音声出力部５ｙが形成されている。第１音声出力部５ｙは、スピーカ２６６のうち中高音用スピーカ（ツイータ）とダクトを介して接続されており、中高音用スピーカからの音声がダクトを介して出力される。上皿部５の裏面には音量スイッチ基板２６７（図２８参照）が設けられている。
【００２０】
下皿部６は、上皿部５の下方に設けられている。下皿部６の略中央には、遊技機１の内部から遊技球を排出するための排出口６ａが設けられている。また、下皿部６の底面には図示しない球技き穴が設けられている。球抜き穴は通常時には閉鎖しており、下皿部６に貯留された遊技球を排出する際に開放する。
【００２１】
下皿部６の略中央手前側には、球抜き穴を開閉させる排出ノブ６ｂが設けられている。排出ノブ６ｂは、下皿部６の周縁部の一部を構成している。排出ノブ６ｂは、通常時は直立状態であり、下端を回転軸として上端を手前側に倒すように回転可能となっている。球抜き穴は排出ノブ６ｂに連動しており、排出ノブ６ｂが直立状態のときには球技き穴は閉鎖しており、排出ノブ６ｂを手前側に倒すことで球抜き穴は開放する。
【００２２】
排出ノブ６ｂは、プルロック式に構成されている。遊技者が下皿部６に溜まった遊技球を手前側に掻き出すように動作することで、排出ノブ６ｂが回転軸を中心に手前側に回転し、この状態でロックされる。同時に球抜き穴が排出ノブ６ｂの回転に連動して開放し、遊技球が下皿部６から排出される。排出ノブ６ｂをもう一度押すことでロックが解除され、排出ノブ６ｂを元の状態に戻すことができ、球抜き穴は閉鎖する。
【００２３】
下皿部６における排出ノブ６ｂの右側および左側の下面には、第２音声出力部６ｃが設けられている。第２音声出力部６ｃは、スピーカ２６６のうち低音用スピーカ（ウーフア）とダクトを介して接続されており、低音用スピーカからの音声が下方に向かって出力される。また、下皿部６の左側には灰皿７も設けられている。
【００２４】
一方、下皿部６の右端には、遊技者が発射装置ユニット１０（図２、図３参照）を操作するための発射ハンドル８が設けられている。発射ハンドル８には、遊技者が触れていることを検出するタッチスイッチ８ａが設けられている。発射ハンドル８の左側面には、遊技者が操作して遊技球の発射を一時的に停止する発射停止スイッチ８ｂが配置されている。なお、本実施例の発射停止スイッチ８ｂは、タッチスイッチ回路内に設けられており、タッチスイッチ８ａと電気的に接続されている。
【００２５】
施錠装置９は、中枠３の右端中央に設けられており、前面枠４を閉じた場合にこれを施錠するためのものである。また、遊技機１の左側には、プリペイドカードユニット１３〈ＣＲユニット）が装着されている。
【００２６】
Ａ−２．ガイドレールおよび発射装置ユニットの構造  ：
次に、図２〜図６を参照しながら、遊技球を誘導するガイドレールおよび発射装置ユニットについて説明する。図２は中枠３を正面側からみた斜視図であり、図３は中枠３を背面側からみた斜視図である。また、図４は発射レール１１の拡大図である。
【００２７】
図２に示すように、中枠３には外レール２２が設けられている。外レール２２は、遊技盤２０上に形成される後述の中レール２３（図８参照）とともに遊技盤２０上に遊技球を誘導するガイドレールを構成している。外レール２２は、板状部材を円弧状に曲げることによって形成されている（図３参照）。外レール２２は、両端部の一部が板面に対して直角に折り曲げられ、取付部（ネジ止め部）２２ａ、２２ｂが形成されている。取付部２２ａ、２２ｂにはネジ穴が形成されている。
【００２８】
中枠３には、略円弧状のレール取付部３ａが形成されている。このレール取付部３ａの内側に外レール２２をはめ込んで、取付部２２ａ、２２ｂをレール取付部３ａにネジ止めすれば、外レール２２を中枠３に固定することができる。このように外レール２２の一部を折り曲げて形成した取付部２２ａ、２２ｂを利用して中枠３に取り付けることとすれば、外レール２２を中枠３に固定するための固定部材を別途用いる必要がなくなるので、部品点数を削減できるとともに、組み付け作業も容易に行うことが可能となる。
【００２９】
図２に示すように、外レール２２の右下には発射レール１１が設けられている。また、図４に示すように、発射レール１１における遊技球の発射位置には、上述した発射球カウントスイッチ２２１が設けられている。
【００３０】
図２、図３には、上述した発射装置ユニット１０が中枠３に取り付けられている様子が示されている。発射装置ユニット１０には、回転軸を中心にして往復移動して遊技球を打撃する槌１０ａ（図２参照）や、槌１０ａの回転を規制するストッパ部１０ｂ、１０ｃ（図２）、槌１０ａに打撃力を付与するバネ部１０ｄ（図３）、モータ部１０ｆ（図３）などが設けられている。モータ部１０ｆには、発射モータが内蔵されており、モータの回転軸に固定されたカム１０ｅが回転することによって、槌１０ａに連続的に打撃力を発生させる。
【００３１】
また、ハンドル軸１０ｇ（図２）は、前述した発射ハンドル８に連結されている。遊技者がハンドル８を回転させると、ピニオン１０ｈとラック１０ｉ（図３）によって、その回転運動が直線運動に変換される。そしてラック１０ｉは、遊技者による発射ハンドル８の操作量をバネ部１０ｄに伝達する。
【００３２】
図５は、発射ハンドル８を回転させていない場合のピニオン１０ｈとラック１０ｉの拡大図である。また、図６は、発射ハンドル８を回転させている場合のピニオン１０ｈとラック１０ｉの拡大図である。図５および図６に示されているように、ラック１０ｉの近傍には発射スタートスイッチ１０ｊが設けられている。発射スタートスイッチ１０ｊは、直線運動するラック１０ｉの移動によって、出力がオンとオフとに切り替わるように構成されている。本実施例では発射スタートスイッチ１０ｊとしてリミットスイッチを用いている。
【００３３】
発射スタートスイッチ１０ｊは、遊技者が発射ハンドル８を所定角度以上回転させ、ラック１０ｉが遊技球の打ち出しに最も適した所定の発射スタート位置にきたときにオン／オフが切り替わるような位置に設けられている。本実施例の発射スタートスイッチ１０ｊは、発射ハンドル８を操作していない場合にオン出力（Ｈｉｇｈ）であり、遊技者が発射ハンドル８を操作すると、すなわち所定角度以上回転させるとオフ出力（Ｌｏｗ）に切り替わる。
【００３４】
バネ部１０ｄには、弾性体としてのゼンマイバネが内蔵されており、ゼンマイバネの一端は槌１０ａの回転軸に接続され、他端はラック１０ｉに接続されている。ラック１０ｉは、直線運動によりゼンマイバネ（渦巻きバネ）のバネ力（反発力）を調整するバネスライダ部を構成している。ゼンマイバネのバネ力は、槌１０ａの先端を発射位置方向に移動させる方向に働く。槌１０ａは、遊技球の発射を行っていない定常時には、ゼンマイバネのバネ力によりストッパ部１０ｂ、１０ｃに押しつけられている。このとき、槌１０ａの先端は遊技球直前の発射位置に位置する。槌１０ａの先端は、図４に示すように発射球カウントスイッチ２２１の手前に位置している。なお、ストッパ部１０ｂ、１０ｃにおける槌１０ａとの接触部は、弾性部材から構成されている。
【００３５】
本実施例では、モータ部１０ｆの発射モータとしてマイクロステップ駆動のステッピングモータを用いている。ステッピングモータは、所定周波数の駆動パルス信号により駆動される。このようなマイクロステップ駆動のステッピングモータを採用することにより、低振動化を図ることが可能となる。
【００３６】
また、槌１０ａの回転軸には、カム１０ｅと接触する係合部（図示せず）が設けられている。発射モータが回転することで、カム１０ｅが槌１０ａの係合部を押圧し、槌１０ａがゼンマイバネを圧縮しながら発射位置から離れる方向に引っ張られる。カム１０ｅが所定の発射角度まで回転すると、カム１０ｅと槌１０ａの係合部との係合が外れ、ゼンマイバネのバネ力により槌１０ａが振り出される。この結果、槌１０ａの先端は発射位置にある遊技球を打撃（発射）することができる。槌１０ａは、ストッパ部１０ｂ、１０ｃに接触するまで回転し、ストッパ部１０ｂ、１０ｃは槌１０ａが衝突すると弾性変形しながら、槌１０ａの回転運動を停止させる。
【００３７】
このように、発射モータが１回転する毎に遊技球が１球発射される。発射モータが連続して回転することで上記動作を繰り返し、遊技球を連続的に発射することができる。
【００３８】
モータ部１０ｆには、発射モータ回転軸が原点位置（原点角度）にあることを検出するための原点センサ（図示せず）が設けられている。原点センサとしては、例えば光センサを用いることができる。本実施例では、槌１０ａが振り出される所定の発射角度から所定角度（例えば１５〜２００）だけ回転した位置を原点と定めている。
【００３９】
遊技者は、発射ハンドル８の回転量を調整することで、槌１０ａによる遊技球の打撃力（発射力）を調整することができる。すなわち、遊技者が発射ハンドル８を回転させると、ハンドル軸１０ｇとハンドル軸１０ｇに連結されたピニオン１０ｈを介して、ラック１０ｉが直線運動する。ラック１０ｉはバネ部１０ｄのゼンマイバネに接続されているので、ラック１０ｉの移動量に応じてゼンマイバネのバネ力を変化させることで、槌１０ａによる遊技球の発射力を変化させることができる。
【００４０】
ここで、球送り装置１２について図７に基づいて説明する。球送り装置１２は、前述した上皿部５の遊技球投入部に投入された遊技球を、発射レース１１の発射位置に供給する機能を有している。図７（ａ）〜（ｃ）は球送り装置１２の正面図およびＡ−Ａ断面図を示している。上皿部５に貯留された遊技球は、球送り装置１２の動作によって、発射レール１１の発射位置に供給される。図７（ａ）〜（ｃ）に示すように、球送り装置１２には球送りカム１２ｂが設けられている。球送りソレノイド１２ａが球送りカム１２ｂを駆動すると、上皿部５の遊技球が１個ずつ発射レール１１の発射位置に供給される。
【００４１】
図７（ａ）は、球送りソレノイド１２ａがオフとなった状態を示している。球送りソレノイド１２ａがオフになると、上皿部５からの供給口を塞ぐような位置まで球送りカム１２ｂが回転する。その結果、上皿部５の遊技球を受け入れ不可能な状態となる。
【００４２】
図７（ｂ）は、球送りソレノイド１２ａがオンとなった状態を示している。球送りソレノイド１２ａがオンになると、球送りカム１２ｂが逆方向に回転し、塞がれていた供給口を通って上皿部５から遊技球が供給され、球送りカム１２ｂに設けられた凹部に流入する。もっとも、凹部は遊技球１球分の大きさしかないので、結局、球送りソレノイド１２ａがオンになると、上皿部５から球送りカム１２ｂの凹部に１球だけ遊技球が供給されることになる。
【００４３】
図７（ｃ）は、球送りソレノイド１２ａが再びオフとなった状態を示している。球送りソレノイド１２ａがオフになると、球送りカム１２ｂは、再び、上皿部５からの供給口を塞ぐような位置まで回転する。この時、凹部に受け入れていた遊技球が発射レール１１に供給される。すなわち、遊技球が１球だけ発射レール１１に供給されることになる。
【００４４】
このように、球送りソレノイド１２ａをオフからオンにする度に、遊技球が１球だけ球送りカム１２ｂの凹部に受け入れられ、また、球送りソレノイド１２ａをオンからオフに戻す度に、球送りカム１２ｂの凹部に１球だけ受け入れられていた遊技球が、発射レール１１に供給されることになる。
【００４５】
Ａ−３．遊技盤の構成  ：
次に、遊技盤２ｄの構成について図８に基づいて説明する。図８は、遊技盤２０の盤面を模式的に示した正面図である。遊技盤２０は、中枠３の前面側に着脱可能に取り付けられている。
【００４６】
図８に示すように、遊技盤２０は、外レール２２と内レール２３により形成される略円形状の遊技領域２１が設けられている。遊技領域２１の中央には、特別遊技装置（特別遊技状態発生手段）３６が設けられており、特別遊技装置３６の下方には１６連入球口（入球領域）２４および１６連入球口ＬＥＤ表示部（入賞情報表示手段）２５が、特別遊技装置３６の上方には第１役物作動口（可変入球口）３２が、左方には図柄表示装置（可変表示手段）３１が、右方には第２役物作動口３３が設けられている。また、図柄表示装置３１の上方には誘導図柄作動ゲート２９が設けられており、図柄表示装置３１の下方には左入球口（入球領域）２６が設けられている。第２役物作動口３３の上方には、右入球口（入球領域）２７が設けられており、その更に上方には、役物誘導装置作動ゲート３０が設けられている。これら１６連入球口２４，左右入球口２６，２７、誘導図柄作動ゲート２９、役物誘導装置作動ゲート３０、第１役物作動口３２、第２役物作動口３３の内部には、図示しない入球検知スイッチがそれぞれ設けられており、遊技球の入球あるいは通過を検知することが可能となっている。尚、本実施例では、１６連入球口２４は、１６個の入球口によって構成されているものとして説明するが、この１６連入球口２４を構成する入球口の数は１６個に限定されるものではなく、例えば、１５個の入球口から構成される１５連入球口とすることも可能である。
【００４７】
１６連入球口２４の右端にある入球口（１６番の入球口）は得点増加装置作動口２４ａとなっており、この入球口に遊技球が入球すると、得点増加装置が作動する。また、１６連入球口２４の下方には得点表示装置２８も設けられており、得られた得点の数値が表示される。
【００４８】
更に、遊技領域２１には、図示しない多数の障害釘も設けられている。１６連入球口２４の、少なくとも３番、５番、１１番、１３番、１５番の各入球口については、遊技球が直接には入球し難いように障害釘が設定されている。１６連入球口２４の上方左側に設けられた左入球口２６に遊技球が入球すると、５番の入球口に入球したのと同様の効果が得られるようになっており、また、右入球口２７に遊技球が入球すると、１２番の入球口に入球したことと同様の効果が得られるようになっている。
【００４９】
図９は、本実施例の図柄表示装置（可変表示手段）３１の構成を例示した説明図である。本実施例の図柄表示装置３１には、液晶（ＬＣＤ）表示装置が搭載されており、液晶表示装置の画面には、図示されているように、左領域３１ａ、中央領域３１ｂ、右領域３１ｃの大きく３つの領域が設けられている。これら各領域には、予め定められた複数種類の誘導図柄が、上方から下方に向かってスクロール表示される態様で変動停止表示可能となっている。本実施例では誘導図柄として９種類の図柄が用意されており、それぞれの図柄は１〜９までの数字を象った図柄となっている。尚、図柄表示装置３１は、液晶に限らず、いわゆるドットマトリックス式の表示装置や、７セグメント式ＬＥＤなどを用いて構成することとしてもよい。
【００５０】
遊技球が誘導図柄作動ゲート２９を通過すると、図柄表示装置３１において誘導図柄の変動表示が開始される。そして、所定時間変動表示された後、左領域３１ａ、中央領域３１ｂ、右領域３１ｃの順に停止表示される。これら誘導図柄が変動表示された後、左領域３１ａ、中央領域３１ｂ、右領域３１ｃで同じ図柄の組合せ（いわゆるゾロ目）が停止表示されると「当たり」となる。尚、本実施例では、「当たり」の種類を「中当たり」と「大当たり」の２種類としており、これら３つの領域でいずれも「７」の図柄（第１のパターンの図柄）が停止表示された場合は「大当たり」となり、「３」の図柄（第２のパターンの図柄）が停止表示された場合は「中当たり」となる。
【００５１】
誘導図柄が「中当たり」あるいは「大当たり」の図柄の組合せで停止表示されると、第１役物誘導装置（可変入球手段）が作動して、可変入球口としての第１役物作動口３２が開放状態となる。ここで、第１役物作動口３２は左右一対の可動片を備えており、この可動片は常時はほぼ直立状態となっている。この一対の可動片が直立状態にある時、第１役物作動口３２の上方に設けられた障害釘３２ｇ（図８参照）によって、第１役物作動口３２は遊技球の入球が不可能な閉鎖状態となる。そして、一対の可動片が外側方向に回動すると、可動片は傾倒状態（逆ハの字状態）となり、第１役物作動口３２は開放状態となって遊技球が入球し易くなる。また、詳細には後述するが、第１役物作動口３２の開放状態は、「中当たり」時と「大当たり」時とでは異なっており、このため遊技内容に変化を与えて遊技者の興趣を効果的高めることが可能となっている。
【００５２】
また、本実施例の遊技機１は、第１役物作動口３２に入球した遊技球は、特別遊技装置３６の内部に導かれるように構成されている。詳細には後述するが、特別遊技装置３６の内部には、誘導増加装置作動領域（特定の領域）４１ａが設けられており、第１役物作動口３２から入球した遊技球が誘導増加装置作動領域４１ａに入球すると、遊技者にとって有利な遊技状態である特別遊技状態が開始されるようになっている。
【００５３】
また、本実施例の誘導増加装置作動領域４１ａは移動可能に構成されている。そして、前述した図柄表示装置３１において「中当たり」状態の誘導図柄が停止表示された場合と、「大当たり」状態の誘導図柄が停止表示された場合とでは、誘導増加装置作動領域４１ａの移動パターンは異なったパターンに設定されている。このため、第１役物作動口３２の開放状態が、「中当たり」時と「大当たり」時とで異なっていることと相まって、遊技内容に変化を与えて遊技者の興趣を効果的高めることが可能となっている。この点については後ほど詳しく説明する。
【００５４】
遊技球が第１役物作動口３２に入球すると、１６連入球口ＬＥＤ表示部２５における４つの入賞図柄を同時に表示させる第１役物が作動して、１２・１３・１５・１６番の入賞図柄が点灯表示する。また、第１役物は当該ゲームが終了したときには作動を終了する。
【００５５】
第１役物誘導装置（可変入球手段）は、後述の主制御部２００を主体に構成されるもので、図柄表示装置３１で中当たり図柄または大当り図柄の組合せが停止表示された場合に作動するが、第１役物誘導装置の作動中に第１役物作動口３２に入球があった場合、あるいは３ゲームが終了した場合には作動を終了して、第１役物作動口３２を閉鎖する。
【００５６】
一方、遊技領域２１の右上方には、役物誘導装置作動ゲート３０が設けられている。この役物誘導装置作動ゲート３０は、誘導増加装置が作動することによって有効になる。また、役物誘導装置作動ゲート３０の右下方には、第２の可変入球口としての第２役物作動口３３が設けられている。役物誘導装置作動ゲート３０の有効時に、遊技球が第２役物誘導装置作動ゲート３０を通過すると、第２役物誘導装置が作動を開始して第２役物作動口３３が開放状態となり、遊技球が入球し易くなる。第２役物作動口３３は一対の可動片を備えており、この可動片が左右に作動すると第２役物作動口３３が開放状態となって、遊技球が入球し易くなる。
【００５７】
第２役物作動口３３は、１６連入球口ＬＥＤ表示部２５における４つの入賞図柄を同時に表示させる第２役物を作動させるものである。第２役物作動口３３に入球した場合には、第２役物が作動して１１・１３・１４・１５番の入賞図柄が点灯表示する。第２役物は、当該ゲームが終了したときに作動を終了する。
【００５８】
また、役物誘導装置作動ゲート３０は、各単位ゲームにおいて最初に遊技球が通過して第２役物作動口３３が開放状態となるまでは有効であるが、第２役物作動口３３が一旦開放状態になってから次の単位ゲームが開始されるまでは無効となる。
【００５９】
第２役物誘導装置は、後述の主制御部２００を主体として構成されるもので、上述したように、役物誘導装置作動ゲート３０の有効時に遊技球が通過すると作動を開始するが、第２役物誘導装置の作動中に第２役物作動口３３に入球があった場合、あるいは当該ゲームが終了したときには作動を終了して、第２役物作動口３３を閉鎖する。
【００６０】
次に、第１役物作動口（可変入球口）３２に入球した遊技球が導かれる特別遊技装置３６について説明する。図１０は、特別遊技装置３６の構成を示す斜視図である。図示されているように特別遊技装置３６は、旋回板（クルーン）３７と、誘導増加装置作動領域（所定の領域、いわゆるＶゾーン）４１ａと、排出口３８ａなどから構成されている。クルーン３７は、浅いすり鉢のような円盤状に形成されており、遊技球が通過可能な３つのクルーン穴が設けられている。第１役物作動口３２に入球した遊技球は、特別遊技装置３６に導かれ、クルーン３７上で旋回しながらいずれかのクルーン穴を通過する。
【００６１】
クルーン３７の下方には３つの通過穴３７ａ、３７ｂ、３７ｃが設けられており、それぞれの通過穴は対応するクルーン穴と遊技盤の内部で繋がっている。従って、遊技球がクルーン３７で旋回した後、いずれかのクルーン穴を通過すると、そのクルーン穴に対応する通過穴から遊技球が転がり出てくることになる。３つの通過穴３７ａ、３７ｂ、３７ｃの下方には、傾斜面３９が設けられており、傾斜面３９の下端には誘導増加装置作動領域４１ａが設けられている。この誘導増加装置作動領域４１ａは、図示しないモータによって駆動され、傾斜面３９の下端を所定の周期で左右方向に往復運動する。通過穴から出てきて傾斜面を転がり落ちた遊技球が、誘導増加装置作動領域４１ａを通過すれば、遊技者にとって有利な遊技状態である特別遊技状態が発生する。
【００６２】
もっとも、遊技球が３つの通過穴３７ａ、３７ｂ、３７ｃのいずれから出てくるかは決まっておらず、しかも誘導増加装置作動領域４１ａは左右方向に往復運動しているので、遊技球がいつも誘導増加装置作動領域４１ａを通過するわけではない。誘導増加装置作動領域４１ａを通過しなかった遊技球は、傾斜面３９の下方に設けられた排出口３８ａから排出される。尚、後述するように、本実施例では、誘導増加装置作動領域４１ａの動きには複数（ここでは２種類）の移動パターンが設けられている。そして、前述の図柄表示装置３１において誘導図柄が「中当たり」状態で停止表示された場合と、「大当たり」状態で停止表示された場合とで、誘導増加装置作動領域４１ａの移動パターンは異なったものとなっている。
【００６３】
クルーン穴から続く３つの通過穴３７ａ、３７ｂ、３７ｃのうちで、中央にある通過穴３７ｂに続く部分の傾斜面３９には、図１０に示すように、浅く溝が形成されている。このため、中央の通過穴３７ｂから出てきた遊技球は、溝に導かれて傾斜面３９の中央をまっすぐに転がっていく。これに対して、他の通過穴から出てきた遊技球は、通過穴から出てくるときの球の進行方向や回転方向などの影響によっては、傾斜面３９を斜めに転がり落ちることになる。
【００６４】
誘導増加装置作動領域４１ａを遊技球が通過すると、誘導増加装置が作動して、遊技者に有利な特別遊技状態（大当たり状態）が発生し、役物誘導装置作動ゲート３０が有効となる。また、特別遊技状態の発生中（誘導増加装置作動中）は、第１役物誘導装置が作動する確率が増加する。この点についても後ほど詳細に説明する。
【００６５】
誘導増加装置の作動は、作動開始から所定回数の１４ゲームが終了した場合、あるいは作動中に新たに遊技球が誘導増加装置作動領域４１ａを通過（いわゆるパンク）した場合に終了する。尚、本発明の特別遊技状態発生手段は、特別遊技装置３６と誘導増加装置とから構成されるものであり、誘導増加装置は、後述の主制御部２００を主体として構成されている。
【００６６】
本実施例の遊技機１は、一単位遊技（１ゲーム）に規定数（例えば１５個）の遊技球を発射して、この単位遊技中に点灯表示した入賞図柄の組合せにより賞態様が決定（得点が成立）し、賞態様に対応する賞遊技価値の付与として賞球の払い出しが行われる。例えば入賞図柄が４個連続して点灯表示された場合には１点が付与され、１点につき規定数の賞球が払い出される。また、本実施例では、所定の入賞図柄の連続した組合せ（本例では１２・１３・１４・１５番）に対して３点が付与される。ただし、１ゲームにおいて獲得できる遊技球数は、規定数の１０倍（規定数を１５個とすれば１５０個）が上限となっている。
【００６７】
前述したように、１６連入球口２４のうち１６番の入賞図柄に対応する入球口２４ａは、得点増加装置作動口としての機能も有しており、遊技球が入球口２４ａに入球した場合には、１６番の入賞図柄が表示されるとともに得点増加装置が作動する。得点増加装置は、後述の主制御部２００を主体として構成され、当該ゲームにおいて１得点当たりに払い出される賞球数を増加（本例では２倍）させる機能を有している。得点増加装置は、当該ゲームが終了したときに作動を終了する。
【００６８】
入球口２４ａは、１６個の入球口が横方向に一列に並んで配置される１６連入球口２４の右端部に位置しており、遊技球が難入球口に比べ比較的入球し易い普通入球口である。遊技者は、遊技領域２１の右方側に設けられた役物誘導装置作動ゲート３０、第２役物作動口３３などを狙って遊技球を打ち出す操作（いわゆる右打ち）を行うことにより、特別遊技状態が発生しているときはもちろんのこと、特別遊技が発生していない通常遊技状態においても、入球口２４ａに遊技球を容易に入球させることができる。
【００６９】
Ａ−３．裏面構造  ：
次に、本実施例の遊技機１の裏面構造について図１１〜図１３に基づいて説明する。図１１は遊技機１の裏機構盤１０２の正面図であり、図１２は賞球タンク１０５およびタンクレール１０６の平面図であり、図１３はケースレール１０８の形状を示す概念図である。
【００７０】
図１１に示すように、裏機構盤１０２は中枠３における遊技盤２０の反対面に設けられており、一対のヒンジ１０３により中枠３に開閉可能に取り付けられている。裏機構盤１０２の左上方部には、タンク球切れ検知スイッチ１０４を底部に備えた賞球タンク１０５が設けられている。タンク球切れ検知スイッチ１０４は、賞球タンク１０５内に遊技球が存在する場合にはオン出力となり、賞球タンク１０５内に遊技球が存在しない場合にはオフ出力となる。賞球タンク１０５には、外部の補給装置から供給される払い出し用の遊技球が貯留されている。賞球タンク１０５の下方には、賞球タンク１０５と接続したタンクレール１０６が設けられている。タンクレール１０６は、賞球タンク１０５の底部から遊技球払出装置１０９の上方まで傾斜して形成されている。
【００７１】
タンク球切れ検知スイッチ１０４のオフ状態が所定時間以上検知された場合には、後述する払出制御部２３０はタンク球切れエラーが発生したと判断し、エラーＬＥＤ表示部４ｈをオレンジ色に点灯させ、遊技球払出装置１０９による賞球停止と貸球停止とを行う。タンク球切れエラーは、タンク球切れ検知スイッチ１０４のオン状態が所定時間（本例では１秒）以上検知された場合に解除される。なお、タンク球切れに関するエラー信号は、払出制御部２３０から後述の主制御部２００に送信される。
【００７２】
図１２に示すように、タンクレール１０６は裏機構盤１０２の側面から所定の間隔を設けて配置されている。これにより、裏機構盤１０２の壁面とタンクレール１０６との間の空間を有効利用することができる。例えば、遊技盤２０中央付近に大型の液晶表示装置等の電子機器を配置する場合に有効である。タンクレール１０６内には、遊技球が整列しながら流下する２列の樋１０６ａ、１０６ｂが平行して設けられている。賞球タンク１０５内の遊技球は、賞球タンク１０５の底部からタンクレール１０６の各樋１０６ａ、１０６ｂに流入し、タンクレール１０６を整列しながら流下する。
【００７３】
図１１に戻り、タンクレール１０６の右側には、球抜きレバー１０７が設けられている。球技きレバー１０７の下流側には、順に遊技球払出装置１０９、遊技球の振り分け部１１０がそれぞれ設けられている。遊技球払出装置１０９については後述する。また、図１３に示すように、タンクレール１０６の下流側であって、遊技球払出装置１０９の上方には、タンクレール１０６を流下してきた遊技球の進行方向を変えて遊技球払出装置１０９に誘導するためのケースレール（遊技球誘導通路）１０８が設けられている。ケースレール１０８内には、タンクレール１０６の各樋１０６ａ、１０６ｂに対応して２本の樋（遊技球通路）が平行して形成されている。
【００７４】
図１３に示すように、ケースレール１０８には上流側から順に、タンクレール１０６を流下してきた遊技球の進行方向を変えて球速を落とすための屈曲部１０８ａと、遊技球払出装置１０９に供給される遊技球の球圧を上げるための垂直部１０８ｂとが設けられている。屈曲部１０８ａの下流側端部は、ケースレール１０８における略中央部より上流側に設けられており、垂直部１０８ｂは、遊技球払出装置１０９の直前において垂直に所定の長さを有するように設けられている。これにより、垂直部１０８ｂがケースレール１０８全体の半分以上の長さを占めてしる。このような垂直部１０８ｂを遊技球払出装置１０９の直前に設けることで、遊技球の自重により遊技球払出装置１０９に供給される遊技球の球圧を上げることができる。
【００７５】
図１１に戻り、タンクレール１０６の下方には、図柄表示装置３１の表示盤を格納した蓋付きの裏ケース１１１が設けられている。裏ケース１１１の下方には主制御基板ケース１１２が設けられ、主制御基板ケース１１２の下方には発射装置制御基板ケース１１３が設けられ、裏機構盤１０２の右下方部には、払出制御基板ケース１１８が設けられている。これらの基板ケース１１２、１１３、１１８には、後述の各種制御基板が格納されている。また、主制御基板ケース１１２の右側上方には後述の盤面中継基板が装着されている。
【００７６】
裏機構盤１０２の右上方部には、ヒューズボックス１１９と、電源スイッチ１２０と、電源中継基板１２１と、大当たり、発射装置制御、球切れ、扉開放、賞球、貸球用等の遊技機枠用外部接続端子を備えた枠用外部端子基板１２２が設けられている。また、この端子基板１２２の上側には、外部からの電力の供給を受けるための電源ケーブル１２３が設けられている。払出制御基板ケース１１８から接続ケーブル１２４が上方に延び、電源ケーブル１２５を備えたプリペイドカードユニット１３に接続されている。また、裏機構盤１０２の略中央下端部には、下皿部用球通路部材１２６が設けられている。
【００７７】
次に、遊技球払出装置１０９の構成について図１４、図１５に基づいて説明する。図１４は遊技球払出装置１０９の外観を示す斜視図であり、図１５は遊技球払出装置１０９を分解した状態を示す斜視図である。図１４に示すように、遊技球払出装置１０９の内部には、上述のケースレール１０８から供給される遊技球が通過可能な遊技球通路１０９ａ、１０９ｂが２列形成されている。また、遊技球払出装置１０９は、３つのケーシング１０９ｃ、１０９ｄ、１０９ｅと払出モータ１０９ｆとを備えている。払出モータ１０９ｆとしては、例えばステッピングモータを用いることができる。遊技球払出装置１０９は、２列の遊技球通路１０９ａ、１０９ｂから交互に遊技球を払い出すように構成されている。
【００７８】
図１５に示すように、ケーシング１０９ｃ、１０９ｄ、１０９ｅの内部には、遊技球通路１０９ａ、１０９ｂにおける遊技球の流れを規制するカム１０９ｇ、１０９ｈと、払出モータ１０９ｆの駆動力をカム１０９ｇ、１０９ｈに伝える駆動力伝達軸１０９ｉが設けられている。カム１０９ｇ、１０９ｈは払出モータ１０９ｆにより回転駆動され、カム１０９ｇ、１０９ｈの回転／停止により、遊技球払い出しのオン／オフが行われる。
【００７９】
カム１０９ｇ、１０９ｈは、各遊技球通路１０９ａ、１０９ｂに対応した２枚の板状回転体からなる。各カム１０９ｇ、１０９ｈは、回転軸にて連結されている。各カム１０９ｇ、１０９ｈの外周部には、略円弧状の凹部（球受け部）が３つ形成されており、各凹部に遊技球通路１０９ａ、１０９ｂを流れる遊技球が１個ずつ入り込む。それぞれのカム１０９ｇ、１０９ｈに形成された凹部は、各カム１０９ｇ、１０９ｈで位相をずらして形成されている。各カム１０９ｇ、１０９ｈは、外周部に形成された凹部が各遊技球通路１０９ａ、１０９ｂに位置するように配置されている。カム１０９ｇ、１０９ｈは、図１５において反時計回りに回転し、遊技球通路１０９ａ、１０９ｂに上方から供給される遊技球を１個ずつ下方へ送り出す。
【００８０】
各凹部の外縁部のうちカム回転方向の前側が滑らかに形成されている。これにより、カム１０９ｇ、１０９ｈが回転する際、遊技球通路１０９ａ、１０９ｂの遊技球がより速く凹部に入り込むことができ、遊技球払出装置１０９による払い出しをより高速化することができる。また、本実施例のカム１０９ｇ、１０９ｈは一方向のみに回転するので、このような高速払出に適したカム形状にすることができる。なお、本実施例の遊技球払出装置１０９は、４秒間当たり１６０個（１秒当たり４０個）の払出速度で遊技球を払い出すことができるように構成されている。
【００８１】
カム１０９ｇ、１０９ｈの回転軸は、遊技球通路１０９ａ、１０９ｂにおける入口部の延長線上に設けられている。すなわち、上述のケースレール１０８の垂直部１０８ｂの延長線上にカム１０９ｇ、１０９ｈの回転軸が位置する。このような構成により、遊技球払出装置１０９の停止中にケースレール１０８内に存在する遊技球の球圧（自重）でカム１０８が回転してしまうのを防ぐことができる。また、２列の遊技球通路１０９ａ、１０９ｂには、遊技球払出装置１０９で払い出した遊技球数を検知する払出センサ１０９ｊ、１０９ｋが設けられている。
【００８２】
ところで、遊技球払出装置１０９における払い出し高速化に伴い、カム１０９ｇ、１０９ｈが脱調することが考えられ、払出数の正確性に問題が生じる可能性がある。特に、カム１０９ｇ、１０９ｈが高速回転している状態から停止する際に脱調が発生しやすい。そこで、本実施例の遊技球払出装置１０９では、遊技球の払い出し終了前に払出モータ１０９ｆの回転速度を通常回転速度より遅い回転速度に一旦減速して所定個数の遊技球を払い出した後、払出モータ１０９ｆを停止するように構成されている。例えば最後の１球を払い出す前に、払出モータ１０９ｆの回転速度を例えば通常回転速度の半分の回転速度に減速し、最後の１球を払い出してから払出モータ１０９ｆを停止させる。これにより、払出モータ１０９ｆにかかる負荷が急激に変化するのを防止でき、払い出しの高速化に伴う脱調を防止できる。なお、「通常回転速度」とは、遊技球払出装置１０９が定常状態の払出速度（本例では４０個／秒）で遊技球を払い出す際の払出モータ１０９ｆの回転速度である。
【００８３】
また、カム１０９ｇ、１０９ｈが停止している状態から高速回転を開始する際にも脱調が発生しやすい。このため、本実施例の遊技球払出装置１０９では、遊技球の払い出し開始時に、払出モータ１０９ｆの回転速度を通常回転速度より遅い回転速度から回転開始して所定個数の遊技球を払い出した後、払出モータ１０９ｆを通常回転速度に加速するように構成されている。例えば最初の１球目を払い出す前に、払出モータ１０９ｆの回転速度を例えば通常回転速度の半分の回転速度で回転開始し、最初の１球を払い出してから払出モータ１０９ｆを通常回転速度に加速する。これによっても、払出モータ１０９ｆにかかる負荷が急激に変化するのを防止でき、払い出しの高速化に伴う脱調を防止できる。
【００８４】
図１６は、払出モータ１０９ｆの払出速度と払出停止時間との関係を示している。本実施例の遊技球払出装置１０９には、遊技球払出中に払い出しを定期的に停止する所定の払出停止時間が設けられている。具体的には、遊技球を所定個数（例えば１５個）払い出す毎に、所定の払出停止時間だけ払出モータ１０９ｆを停止する。この払出停止時間中に遊技球の球圧を上げることができ、結果として連続して払い出しを行う場合より払い出し速度を向上させることができる。
【００８５】
払出停止時間は、短すぎると球圧が上がらず、逆に長すぎると払出時間が全体として長くなるとともに、球圧が上がりすぎる。球圧が上がりすぎると球噛みが発生し、カム１０９ｇ、１０９ｈが回転不能となって正確な払い出しが行えなくなるおそれがある。このため本実施例では、払出速度が例えば１秒当たり４０個を超える領域で払い出し停止時間を設定している。具体的には、１５球を０．３秒で払い出した後、払出モータ１０９ｆを０．１秒間停止させる。
【００８６】
Ｂ．電子制御装置の構成  ：
Ｂ−１．全体構成  ：
次に、本実施例の遊技機１の電子制御装置について、図１７に基づいて説明する。図１７は、電子制御装置の概略構成を示すブロック図である。
【００８７】
図１７に示すように、電子制御装置は、主制御部２００と、その主制御部２００に接続された副制御部２３０、２６０および２８０とを含んで構成されている。副制御部は、賞球制御部（払出制御部）２３０、音ランプ制御部２６０および図柄制御部２８０などから構成される。主制御部２００は主制御基板２００ａを備え、副制御部２３０、２６０および２８０は、払出制御基板２３０ａ、音ランプ制御基板２６０ａおよび図柄制御基板２８０ａなど、各種の周辺制御基板をそれぞれ備えている。
【００８８】
主制御部２００は、各副制御部２３０、２６０、および２８０に処理内容を指示する指令信号（コマンドデータ）を送信し、各副制御部２３０、２６０、および２８０は指令信号に基づいて各種制御を行うように構成されている。
【００８９】
例えば、主制御部２００から払出制御部２３０には、賞球払出を指示する賞球指示信号、遊技開始許可を指示する遊技開始許可信号、各種発射制御コマンド等のコマンドが送信される。各種発射制御コマンドには、球送り許可・禁止、発射許可・禁止、遊技開始許可等が含まれている。
【００９０】
また、主制御部２００から音ランプ制御部２６０には、各種ランプ制御コマンドおよび各種音声制御コマンドが送信される。主制御部２００から図柄制御部２８０には、音ランプ制御部２６０を介して、図柄の表示を指示する図柄表示制御コマンド、１〜１６の入賞図柄の表示を指示する入賞図柄表示コマンド、すべての図柄表示の消灯を指示する入賞図柄消灯コマンド等の各種図柄制御コマンドが送信される。こうした動作を可能とするための主制御部２００の構成については、別図を用いて後述する。
【００９１】
各制御部２００、２３０、２６０、および２８０には、主電源１２９と接続された電源受電基板１２８から電源基板１２７と電源中継基板１２１とを介して電源が供給されている。また、電源立上げ時には、システムリセット信号が電源基板１２７および電源中継基板１２１を介して各制御部２００、２３０、２６０、および２８０に送信される。なお、本実施例の遊技機１は、電源断時に主制御部２００および払出制御部２３０に作動電圧を供給する図示しないバックアップ電源部（図示略）を備えており、電源断時にも主制御部２００および払出制御部２３０のＲＡＭデータが保持される。
【００９２】
主制御部２００には、盤用外部端子基板２０１、１６連スイッチ中継基板２０２、誘導図柄作動ゲートスイッチ２０４、盤面中継基板２１０および遊技枠中継基板２２０が接続されている。
【００９３】
盤用外部端子基板２０１には、図示しない外部の試験装置を接続するための試験信号端子が複数設けられている。これらの試験信号端子は、遊技機用として使用されるものであり、賞球信号、入球口入球信号、得点増加装置に係る入球口入球信号、役物作動口入球信号、特定入球口入球信号、誘導増加装置作動領域通過信号、誘導図柄に係るゲート通過信号、役物誘導装置に係るゲート通過信号、役物作動信号、得点増加装置作動信号、役物作動口開放信号、役物誘導装置作動信号、誘導図柄に係るゲート有効信号、役物誘導装置に係るゲート有効信号などの信号を試験装置に送出することができる。
【００９４】
１６連スイッチ中継基板２０２には、１６連入球口２４の各入球口への入球を検知する１６連入球口検知スイッチ２０３が接続され、１６連入球口検知スイッチ２０３からの検知信号が主制御部２００に送信される。そして、１６連入球口検知スイッチ２０３からの検知信号により、１６番の入賞図柄に対応する入球口２４ａ（図８参照）への入球を検知した場合には得点増加装置の作動を開始する。誘導図柄作動ゲートスイッチ２０４は、遊技球が誘導図柄作動ゲート２９を通過したことを検出するものである。
【００９５】
ここで、主制御部２００の構成について説明する。図１８は、主制御部２００の主制御基板２００ａに設けられたＣＰＵ４００の構成を示すブロック図である。図１８に示すように、ＣＰＵ４００は、ＣＰＵコア４０１、内蔵ＲＡＭ４０２（以下、単にＲＡＭともいう）、内蔵ＲＯＭ４０３（以下、単にＲＯＭともいう）、メモリ制御回路４０４、クロック発生器４０５、アドレスデコーダ４０６、ウォッチドッグタイマ４０７、カウンタ／タイマ４０８、パラレル入出力ポート４０９、リセット／割り込みコントローラ４１０、外部バスインターフェース４１１、および出力制御回路４１２などを備えている。
【００９６】
ＣＰＵ４００は、ＲＯＭ４０３に格納された制御プログラムにより、ＲＡＭ４０２をワークエリアとして遊技機１全体の作動制御（遊技の基本進行制御）を司る。また、主制御部２００は、ＣＰＵ４００が主体となって、ＲＯＭ４０３に格納された当否判定プログラムにより当否判定を行う当否判定手段を構成している。なお、本実施例の主制御部２００の制御周期は４ｍｓに設定されている。
【００９７】
また、ＲＡＭ４０２には、遊技機１で用いられる各種乱数の乱数カウンタが設定されている。本実施例で用いられる乱数には、当否判定用乱数、図柄表示用乱数等がある。当否判定用乱数は、遊技球が誘導図柄作動ゲート２９を通過した際に、役物誘導装置を作動させるか否かの判定（当否判定）に用いられる。また、当否判定用の当たり値には通常当たり値と大当り値とが予め設定されており、遊技球が誘導図柄作動ゲート２９を通過したタイミングで取得された当否判定用乱数が、通常の当たり値と一致する場合に当たりと判定され、また、大当たり値と一致する場合には大当たりと判定される。図柄表示用乱数は、遊技球が誘導図柄作動ゲート２９を通過した際に、図柄表示装置３１で停止表示される誘導図柄を決定するために用いられる。
【００９８】
さらに、ＲＡＭ４０２には、発射装置ユニットに送られた遊技球をカウントするための球送りカウンタと、発射装置ユニットで発射された遊技球をカウントするための発射カウンタと、１６連入球口２４、左入球口２６、右入球口２７、第１役物作動口３２、大２役物作動口３３に入球した遊技球をカウントするための入球カウンタとが設定されている。
【００９９】
次に、盤面中継基板２１０を図１９に基づいて説明する。図１９は、盤面中継基板２１０に接続された各種遊技装置を示すブロック図である。盤面中継基板２１０は、遊技盤２０面に設けられた各種スイッチ等と主制御部２００との間で、スイッチ信号等を中継するものである。
【０１００】
図１９に示すように、盤面中継基板２１０には、左入球口スイッチ２１１、役物作動口スイッチ２１２ａおよび２１２ｂ、作動領域スイッチ２１４、各種ソレノイド２１６、回転体用モータ２１７、第２役物誘導装置作動ゲートスイッチ２１８が接続されている。
【０１０１】
左右入球口スイッチ２１１ａおよび２１１ｂは、左入球口２６および右入球口２７の内部にそれぞれ設けられ、遊技球の入球を検知するものである。役物作動口スイッチ２１２ａおよび２１２ｂは、第１役物作動口３２および第２役物作動口３３の内部にそれぞれ設けられ、遊技球の入球を検知するものである。作動領域スイッチ２１４は、誘導増加装置作動領域４１ａへの遊技球の通過を検知するものである。また、第２役物誘導装置作動ゲートスイッチ２１８は、遊技球が第２役物誘導装置作動ゲート３０を通過したことを検出するものである。これらの遊技球検知スイッチや位置検知スイッチは、近接スイッチあるいはフォトセンサ等により構成することができる。
【０１０２】
各種ソレノイド２１６としては、第１役物作動口３２および第２役物作動口３３をそれぞれ開閉するものがあり、開放ソレノイドと閉鎖ソレノイドとから構成されている。回転体用モータ２１７は、特別遊技装置３６の旋回板（クルーン）３７を回転させるものである。
【０１０３】
次に、遊技枠中継基板２２０を図２０に基づいて説明する。図２０は、遊技枠中継基板２２０に対する信号の入出力を示すブロック図である。遊技枠中継基板２２０は、主に中枠３に設けられた各種スイッチ等と主制御部２００との間で、スイッチ信号等を中継するものである。
【０１０４】
図２０に示すように、枠中継基板２２０には、発射球カウントスイッチ２２１、ファール球検出スイッチ２２２が接続されている。さらに枠中継基板２２０には、後述の球送り中継基板２５１を介して球送りカウントスイッチ２５４が接続されている。
【０１０５】
発射球カウントスイッチ２２１は、発射装置ユニットにて発射された遊技球を検知するものである。また、ファール球検出スイッチ２２２は、発射装置ユニットから発射された遊技球が遊技領域２１に到達しないで、下皿部６に戻ってきた遊技球を検知する。球送りカウントスイッチ２５４は、上皿部５から発射装置ユニットに送られた遊技球をカウントする。
【０１０６】
Ｂ−２．払出制御部の構成  ：
次に、払出制御部２３０の動作、すなわち払出動作について概要を説明する。図１７に示されているように、払出制御部２３０には、枠用外部端子基板１２２、スイッチ中継端子基板２３１、ＣＲ接続基板２３４、発射制御部２５０等が接続されている。スイッチ中継端子基板２３１には、タンク球切れスイッチ２３２、下皿満タンスイッチ２３３が接続されている。タンク球切れスイッチ２３２は、枠用外部端子基板１２２にも接続されている。
【０１０７】
タンク球切れスイッチ２３２は、賞球タンク１０５内の遊技球が球切れとなったことを検知する。タンク球切れスイッチ２３２の球切れ信号は、枠用外部端子基板１２２を介して外部の補給装置に送信され、補給装置から賞球タンク１０５に遊技球が補給される。下受け皿満タンスイッチ２３３は、下皿部６の下受け皿が満タン状態になったことを検知する。なお、払出制御部２３０の払出制御基板２３０ａは、上記図１８で示した主制御基板２００ａのＣＰＵ４００と同様の構成を有するＣＰＵを備えている０本実施例の払出制御部２３０の制御周期は、主制御部２００より短い１ｍｓに設定されている。
【０１０８】
払出制御部２３０を図２１に基づいてさらに説明する。図２１は、払出制御部２３０に対する信号の入出力を示すブロック図である。図２１に示すように、払出制御部２３０には、ＣＲ接続基板２３４を介してプリペイドカードユニット１３およびＣＲ表示基板２３５が接続されている。ＣＲ表示基板２３５には、貸球ボタン２３６と返却ボタン２３７が接続されている。ＣＲ表示基板２３５は、ＣＲユニット１３との間で貸球やカード残り数等の信号を入出力するための基板である。
【０１０９】
払出制御部２３０にてプリペイドカードユニット１３の未接続が検知された場合には、払出制御部２３０はエラーＬＥＤ表示部４ｈを赤色に点灯させ、発射装置ユニット１０による発射停止を行う。プリペイドカードユニット１３の未接続エラーは、払出制御部２３０にてプリペイドカードユニット１３の接続が検知された場合に解除される。なお、プリペイドカードユニット１３の未接続に関するエラー信号は、払出制御部２３０から主制御部２００に送信されない。
【０１１０】
また、払出制御部２３０には、払出ユニット中継端子板２３９を介して払出モータ１０９ｆおよび払出センサ１０９ｊ、１０９ｋが接続され、状態表示ＬＥＤ中継端子板２４０を介して賞球表示ＬＥＤ基板２４１およびエラー表示ＬＥＤ基板２４２が接続されている。払出センサ１０９ｊ、１０９ｋは、遊技球払出装置１０９で払い出された遊技球数を計数するものである。遊技球払出装置１０９で払い出される遊技球には、入賞に対して払い出す賞球と、遊技者に貸し出す貸球とが含まれている。
【０１１１】
賞球表示ＬＥＤ基板２４１およびエラー表示ＬＥＤ基板２４２は、それぞれ賞球表示ＬＥＤ表示部４ｇおよびエラーＬＥＤ表示部４ｈ（図１参照）に対応している。賞球表示ＬＥＤ基板２４１のＬＥＤは賞球獲得の際に点灯あるいは点滅し、エラーＬＥＤ基板２４２のＬＥＤはエラー発生の際に点灯あるいは点滅する。エラー表示ＬＥＤ基板２４２は複数種類のＬＥＤを備えており、エラーＬＥＤ表示部４ｈは複数種類のエラー報知を行うことができる。本実施例では、エラーＬＥＤ表示部４ｈは、エラー報知として赤色とオレンジ色に点灯・点滅可能に構成されている。
【０１１２】
ここで、払出制御部２３０とプリペイドカードユニット１３との問の信号について説明する。まず、遊技機１の電源が投入されると、払出制御部２３０はプリペイドカードユニット１３に遊技機動作信号（ＰＲＤＹ信号）を出力する。また、プリペイドカードユニット１３は、払出制御部２３０に電源信号（ＶＬ信号）を出力する。払出制御部２３０では、このＶＬ信号の入力状態に基づいてプリペイドカードユニット１３の接続あるいは未接続を判定する。
【０１１３】
払出制御部２３０にてプリペイドカードユニット１３の未接続が検知された場合には、払出制御部２３０はエラーＬＥＤ表示部４ｈを赤色に点灯させ、発射装置ユニット１０による発射停止を行う。プリペイドカードユニット１３の未接続エラーは、払出制御部２３０にてプリペイドカードユニット１３の接続が検知された場合に解除される。なお、プリペイドカードユニット１３の未接続に関するエラー信号は、払出制御部２３０から主制御部２００には送信されない。
【０１１４】
プリペイドカードユニット１３にてプリペイドカードがセットされ、貸球ボタン２３７が操作されると、プリペイドカードユニット１３は払出制御部２３０にカードユニットＲＥＡＤＹ信号（ＢＲＤＹ信号）を出力する。更に、この時点から所定の遅延時間経過後、プリペイドカードユニット１３は払出制御部２３０に貸出要求信号（ＢＲＱ信号）を出力する。
【０１１５】
そして、払出制御部２３０はプリペイドカードユニット１３に出力する貸出完了信号（ＥＸＳ信号）を立ち上げておき、上記貸出要求信号（ＢＲＱ信号）の立ち下がりを検出したら払出モータを作動させ、所定個数の貸球を遊技者に払い出す。払出制御部２３０は、貸球払出が完了したら、ＥＸＳ信号を立ち下げ、その後、プリペイドカードユニット１３からのＢＲＤＹ信号の立ち下がりを検出したら、貸球払出制御を終了する。
【０１１６】
本実施例の払出制御部２３０は、タンク球切れスイッチ２３２からの信号と払出センサ１０９ｊ、１０９ｋからの信号とに基づいて、ケースレール１０６内の球詰まりを検出する。具体的には、遊技球払出装置１０９の作動中に払出センサ１０９ｊ、１０９ｋで遊技球が検出されない場合で、かつ、タンク球切れスイッチ２３２にて球切れが検出されない場合は、ケースレール１０８で球詰まりが発生していると判断される。一方、遊技球払出装置１０９の作動中に払出センサ１０９ｊ、１０９ｋで遊技球が検出されない場合で、かつ、タンク球切れスイッチ２３２にて球切れが検出された場合は、賞球タンク１０５で球切れが発生していると判断される。
【０１１７】
払出センサ１０９ｊ、１０９ｋでの球詰まり検知は以下のように行う。まず、払出センサ１０９ｊ、１０９ｋにて遊技球を所定時間以上検知できない場合には、払出モータ１０９ｆを逆回転で数ステップ動作させた後、最低速にて正方向に回転させる。その後所定時間経過しても払出センサ１０９ｊ、１０９ｋにて遊技球が検知できない場合には、払出制御部２３０はケースレール１０８で球詰まりエラーが発生したと判断し、賞球停止および貸球停止を行う。球詰まりエラーは、払出センサ１０９ｊ、１０９ｋにて遊技球が検知された場合に解除される。なお、球詰まりに関するエラー信号は、払出制御部２３０から主制御剖２００に送信される。
【０１１８】
ケースレール１０８で球詰まりが発生していると判断された際、２個の払出センサ１０９ｊ、１０９ｋの双方で遊技球が検出されない場合には、ケースレール１０８のすべての樋で球詰まりが発生し、遊技球の払い出しが不可能であると判断できる。一方、２個の牡出センサ１０９ｊ、１０９ｋのいずれかのみで遊技球が検出されない場合には、ケースレール１０８内のいずれかの樋のみで球詰まりが発生しており、残りの樋では遊技球の払い出しが可能であると判断できる。
【０１１９】
本実施例の遊技機１では、ケースレール１０８の球詰まりに対して複数段階のエラー状態を設定している。具体的には、複数のケースレール１０８のいずれかの樋のみで球詰まりが発生した場合を遊技球払出装置１０９を停止させない第１のエラー状態（軽度のエラー）とし、複数のケースレール１０８のすべての樋で球詰まりが発生した場合を遊技球払出装置１０９を停止させる第２のエラー状態（重度のエラー）としている。具体的には、第１のエラー状態となった場合、払出制御部２３０は、エラーＬＥＤ表示部４ｈにてオレンジ色に点灯する第１のエラー報知を行って遊技場従業員に警告を報知し、遊技球払出装置１０９による遊技球の払い出しを継続する。これにより、エラー報知にて遊技場従業員に復旧を促すとともに、遊技場従業員が来るまでの間はケースレール１０８の球詰まりしていない樋により遊技球の払い出しを継続できる。一方、第２のエラー状態となった場合、払出制御部２３０は、エラーＬＥＤ表示部４ｈを赤色に点灯する第２Ｃエラー報知を行って遊技場従業員に異常を報知し、遊技球払出装置１０９を停止させる。
【０１２０】
払出センサ１０９ｊ、１０９ｋにて遊技球が所定時間（本例では１秒）以上検知された場合には、払出制御部２３０は遊技球払出装置１０９に異常が発生したと判断し、エラーＬＥＤ表示部４ｈを赤色に点灯させ、賞球停止および貸球停止を行う。払出装置異常エラーは、払出センサ１０９ｊ、１０９ｋにて遊技球を所定時間（本例では１秒）以上検知されなかった場合に解除される。なお、遊技球払出装置１０９の異常に関するエラー信号は、払出制御部２３０から後述の主制御部２００に送信される。
【０１２１】
図２２は、払出センサ１０９ｊ、１０９ｋから出力される信号の流れを示している。図２２に示すように、払出センサ１０９ｊ、１０９ｋからの信号が払出制御部２３０に入力する。払出制御装置２３０では、払出センサ１０９ｊ、１０９ｋからの信号に基づいて遊技球払出装置１０９における払出数を計数する。上述のように、遊技球払出装置１０９での払出数には賞球数と貸球数が含まれている。このうち賞球数は主制御部２００にて計数する必要があるので、賞球数に関する信号のみが払出制御部２３０から主制御部２００に送信される。
【０１２２】
払出制御部２３０は、主制御部２００からの賞球払出指令、あるいはプリペイドカードユニット１３からの貸出要求信号（ＢＲＱ信号）に応じて、遊技球を払い出すように構成されている。したがって、払出制御部２３０では、現在払い出している遊技球が賞球用か貸球用なのかを判別可能である。そこで、払出センサ１０９ｊ、１０９ｋからの信号が賞球数である場合には、払出制御部２３０から主制御部２００に払出個数分のパルス信号を送信する。なお、主制御部２００では貸球数を知る必要がないので、払出センサ１０９ｊ、１０９ｋからの信号が貸球数の場合には、払出制御部２３０から主制御部２００に信号を送信しない。
【０１２３】
払出センサ１０９ｊ、１０９ｋからの信号が賞球数である場合には、払出制御基板２３０ａのＣＰＵから主制御基板２００ａのＣＰＵ４００のカウンタに、賞球数に対応するパルス信号をソフトウェアによって出力する。主制御部２００のＣＰＵ４００の読み取り動作は４ｍｓ毎に行われるので、払出制御部２３０からのパルス信号の出力間隔を主制御部２００のＣＰＵ４００の読み取り間隔より長く（４ｍｓ以上）する必要がある。本実施例では、払出制御部２３０から送信する１球毎のパルス信号の出力間隔を１０ｍｓとしている。なお、本実施例の払出モータ１０９ｆは、４秒当たり１６０個の払出速度なので、１個払い出すのに２５ｍｓを要する。
【０１２４】
また、主制御部２００のＣＰＵ４００のカウンタに入力するように構成したことで、払出制御部２３０から主制御部２００に送信するパルス信号にノイズが混じり、主制御部２００が賞球数を誤検知するおそれがある。そこで、払出制御部２３０は、賞球数１個に対して複数のパルス信号を出力するように構成されている。本実施例の払出制御部２３０では、１球につき３パルス出力する。主制御部２００にて４ｍｓ毎に払出制御部２３０から送信されるパルスを読み取った際、３パルスで１球とカウントする。
【０１２５】
図２３（ａ）〜（ｄ）は、払出制御部２３０から主制御部２００に送信されるパルス信号を示している。図２３（ａ）に示すように、仮にノイズが１パルス分発生して合計４パルスになったとしても、１パルス分をノイズと判断して１球とカウントすることができる。尚、１球当たりのパルス数をさらに増加させることで、主制御部２００における検出精度をより向上させることができる。すなわち、払い出しがなくノイズが３パルス分発生した場合には、主制御部２００では１球と判断してしまうが、例えば１球当たりのパルス数をより多く設定すれば（例えば１球当たり１０パルス）、このような誤検知を回避できる。また、主制御部２００の読み取り間隔内で賞球パルス信号に加えてノイズが３パルス分発生した場合には合計６パルスとなり、２球と誤検知することが考えられる。しかしながら、上記のように払出制御部２３０から送信されるパルス信号の出力間隔は１０ｍｓに設定されているので（図２３（ｂ）参照）、１０ｍｓ当たり３パルス以上であっても、３パルスを超える分はノイズと判断して、１球しかカウントしない。
【０１２６】
また、図２３（ｃ）に示すように、１球分の３パルスを送信している途中で主制御部２００のＣＰＵ４００がカウンタの値を読み込んだ場合、３未満であるので、パルス送信の途中であると判断して何もせず戻る。４ｍｓ後に再度カウンタの値を読み込んだ際に３以上であれば、１球と判断してカウンタをクリアする。
【０１２７】
また、図２３（ｄ）に示すように、１回目のカウンタ値の読み込みが３未満であり、かつ、２回目の読み込みでも１回目の値と同じであれば、ノイズと判断してカウンタをクリアする。
【０１２８】
主制御部２００から払出制御部２３０に賞球コマンドが送信された後、所定時間経過しても払い出された賞球数が要求した賞球数に不足している場合、主制御部２００から払出制御部２３０に賞球不足コマンドが送信される。この場合には、払出制御部２３０は賞球不足エラーとしてエラーＬＥＤ表示部４ｈを赤色に点滅させ、遊技球払出装置１０９による遊技球の払い出し動作は継続する。賞球不足エラーは、賞球が終了しないと次のゲームに移行できないアレンジボール遊技機に特有のエラーであるため、他のエラーと区別してエラー報知を行う。具体的には、他のエラー発生時はエラーＬＥＤ表示部４ｈを点灯させるのに対して、賞球不足エラー発生時にはエラーＬＥＤ表示部４ｈを点滅させる。払い出された賞球数が要求した賞球数に達した場合に、主制御部２００より賞球不足解除コマンドが払出制御部２３０に送信され、賞球不足エラーが解除される。
【０１２９】
次に、主制御基板２００ａと払出制御基板２３０ａを接続するコネクタの接続確認について図２４に基づいて説明する。図２４は、払出制御基板２３０ａにおけるコネクタの接続確認を説明するための概念図である。主制御基板２００ａと払出制御基板２３０ａとは、両端にコネクタ２００ｅ、２３０ｅを有するハーネスを介して接続されている。ハーネスの両端にはコネクタ（図示略）が設けられている。図２４に示すように、主制御基板２００ａにはコネクタ受部２００ｃが設けられ、払出制御基板２３０ａには、コネクタ受部２３０ｃと負論理のＡＮＤ回路２３０ｄとが設けられている。コネクタ受部２００ｃ、２３０ｃには、ハーネスの端部に設けられたハーネス側コネクタ２００ｅ、２３０ｅが挿入して接続される。ここで、コネクタ受部２００ｃ、２３０ｃの端子数が多いとコネクタ挿入時に斜め挿入が起こりやすくなる。この結果、接続されていない端子が生じて誤作動の原因となる。このような斜め挿入の場合、コネクタ受部２００ｃ、２３０ｃの両端の端子のいずれかが未接続となる。そこで、本実施例では、コネクタ受部２３０ｃの両端に設けられたピン（端子）を接続確認用の信号線として用いている。ＡＮＤ回路２３０ｄは、コネクタ受部２３０ｃの両端の接続確認用端子からの信号を負論理で入力し、それらの信号の論理積をとってＣＰＵ２３０ｂに信号を負論理で出力する。ＣＰＵ２３０ｂはＡＮＤ回路２３０ｄからの信号の入力状態によりコネクタの接続状態を判断する。
【０１３０】
コネクタ受部２３０ｃの接続確認用端子からの信号は、ハーネスが接続された状態ではＬｏｗとし、ハーネスが接続されてない状態ではＨｉｇｈとしている。したがって、コネクタ受部２３０ｃの両端の接続確認用端子が両方とも接続されている場合にはＡＮＤ回路２３０ｄの出力はＬｏｗとなり、一方でも接続されていない場合にはＡＮＤ回路２３０ｄの出力はＨｉｇｈとなる。そして、ＡＮＤ回路２３０ｄの出力がＨｉｇｈの場合には、ＣＰＵ２３０ｂは接続確認用端子の少なくとも一方が未接続であると判断する。この判断に基づいてＣＰＵ２３０ｂは、エラー表示部４ｈを赤色に点灯させ、接続エラー報知を行う。
【０１３１】
本実施例のようにコネクタ２３０ｃの両端の端子を接続確認用の信号線とし、これらの信号を用いてＡＮＤ回路２３０ｄで負論理の論理積をとることで、コネクタ２３０ｃの接続確認を払出制御部２３０において容易に行うことができ、主制御部２００と払出制御部２３０との接続を確実にすることができる。この払出制御部２３０における接続確認は、例えば遊技機１を遊技店に設置するとき、電源投入時あるいは電源投入後であって遊技者が遊技を行っていない時等に行うことができる。
【０１３２】
Ｂ−３．発射制御部の構成  ：
次に、発射制御部２５０の動作、すなわち遊技球の発射動作について説明する。図２５は、発射制御部２５０に接続された各種遊技装置を示すブロック図である。図２５に示すように、発射制御部２５０には、発射ハンドル８、原点センサ２５１、発射モータ２５２、球送り中継端子板２５３等が接続されている。発射ハンドル８から発射制御部２５０には、遊技者が発射ハンドル８を所定量以上回転させたかどうかを示す発射スタートスイッチ１０ｊ（図５、図６参照）からの発射スタート信号、遊技者が発射ハンドル８に触れているかどうかを示すタッチスイッチ８ａからのタッチ信号等が入力される。
【０１３３】
上述のように、発射停止スイッチ８ｂはタッチスイッチ８ａと直列的に接続されており、発射停止スイッチ８ｂのオン／オフはタッチ信号として出力される。遊技者がタッチスイッチ８ａに触れていて、かつ、発射停止スイッチ８ｂが押されていない場合に、タッチ信号がオンになる。遊技者がタッチスイッチ８ａに触れていないか、あるいは発射停止スイッチ８ｂを押した場合に、タッチ信号がオフになる。
【０１３４】
原点センサ２５１は、発射モータ２５２の回転軸が所定の原点位置（原点角度）にあるかどうかを検知するものである。発射モータ２５２は、発射位置に送り込まれた遊技球を遊技領域２１に打ち込むための槌１０ａを稼働させるものであり、遊技者が発射ハンドル８を操作することにより作動する。本実施例では、発射モータ２５２の駆動パルス信号の周波数を固定値とし、発射モータ２５２の回転周期、すなわち１回転に要する時間を固定値（本例では５００ｍｓ）としている。
【０１３５】
球送り中継端子板２５３には、上皿部５に貯留された遊技球を１個ずつ発射装置ユニットの発射位置に送り込むための球送りソレノイド１２ａ、球送りカウントスイッチ２５４が接続されている。上述のように、球送りカウントスイッチ２５４からの信号は遊技枠中継基板２２０を介して主制御部２００に送信される。
【０１３６】
上記原点センサ２５１の信号は、発射制御部２５０を介して、払出制御部２３０に送信される。払出制御部２３０は、原点センサ２５１にて原点が検出された場合に、上記球送り許可信号を所定期間（本例では６０ｍｓ）だけ許可状態（Ｌ出力）にするように構成されている。
【０１３７】
図２６は、発射制御部２５０の回路構成を示している。図２６に示すように、発射制御部２５０には、払出制御部２３０から球送り許可信号および発射許可信号が入力し、発射ハンドル８からタッチ信号および発射スタート信号が入力する。さらに、発射制御部２５０には払出制御部２３０のＣＰＵに設けられたクロック発生器（図示せず）からのクロック信号が入力する。また、発射制御部２５０は、３つのＡＮＤ回路２５０ａ、２５０ｂ、２５０ｃ、フリップフロップ２５０ｄ、分周回路２５０ｅ、モータ駆動回路２５０ｆを備えている。
【０１３８】
第１ＡＮＤ回路２５０ａは、発射許可信号とフリップフロップ２５０ｄからの信号（発射条件成立信号）を入力とし、発射モータ２５２を駆動するモータ駆動回路２５０ｆに信号を出力する。第２ＡＮＤ回路２５０ｂは、球送り許可信号とフリップフロップ２５０ｄからの信号（発射条件成立信号）を入力とし、球送りソレノイド１２ａに信号を出力する。第３ＡＮＤ回路２５０ｃは、タッチ信号と発射スタート信号を入力とし、フリップフロップ２５０ｄに信号を出力する。分周回路２５０ｅは、所定のクロック周波数を分周して所望のパルス幅の基準クロック信号を生成し、この基準クロック信号をフリップフロップ２５０ｄに出力する。モータ駆動回路２５０ｆは、第１ＡＮＤ回路２５０ａからの信号がＨｉｇｈになった場合に、発射モータ２５２に所定周波数のパルス信号を出力する。
【０１３９】
発射許可信号は、発射許可時にはＬｏｗ出力（オフ）であり、発射禁止時にはＨｉｇｈ出力（オン）であり、それぞれインバータにて反転された後、第１ＡＮＤ回路２５０ａに入力する。したがって、第１ＡＮＤ回路２５０ａに入力する発射許可信号は、発射許可時にはＨｉｇｈとなり、発射禁止時にはＬｏｗとなる。同様に、球送り許可信号は、球送り許可時にはＬｏｗ出力（オフ）であり、球送り禁止時にはＨｉｇｈ出力（オン）であり、それぞれインバータにて反転された後、第２ＡＮＤ回路２５０ｂに入力する。したがって、第２ＡＮＤ回路２５０ｂに入力する球送り許可信号は、球送り許可時にはＨｉｇｈとなり、球送り禁止時にはＬｏｗとなる。
【０１４０】
発射許可時および球送り許可時において、遊技者が発射ハンドル８を操作していない場合には、フリップフロップ２５０ｄの出力信号はＬｏｗなので、第１、第２ＡＮＤ回路２５０ａ、２５０ｂの出力信号もＬｏｗとなる。ここで、遊技者が発射ハンドル８に触れるとともに、所定角度以上回転させることで、タッチ信号および発射スタート信号がＨｉｇｈとなり、第３ＡＮＤ回路２５０ｃの出力がＨｉｇｈとなり、この信号がフリップフロップ２５０ｄに入力される。フリップフロップ２５０ｄでは、第３ＡＮＤ回路２５０ｃからの入力信号がＨｉｇｈとなった場合、次の基準クロック信号の立ち上がり（Ｌｏｗ−Ｈｉｇｈ）で、第１、第２ＡＮＤ回路２５０ａ、２５０ｂへの出力信号がＨｉｇｈとなる。これにより、第１、第２ＡＮＤ回路２５０ａ、２５０ｂの出力信号がＨｉｇｈとなり、発射モータ２５２および球送りソレノイド１２ａが作動を開始する。
【０１４１】
図２７は、発射制御部２５０における球送り許可信号と基準クロック信号との関係を示すタイミングチャートである。上述のように原点センサ２５１による原点確認後、球送り許可信号が所定時間（６０ｍｓ）だけイネーブル（Ｌｏｗ）、すなわち発射許可状態となる。球送りソレノイド１２ａを確実に作動させるためには、球送り許可信号がイネーブル（Ｌｏｗ）となっている間に基準クロック信号が立ち上がる必要がある。すなわち、上記分周回路２５０ｅにて生成する基準クロック信号のパルス幅は、球送り許可信号がイネーブル（Ｌｏｗ）となっている所定時間より短いことが必要である。
【０１４２】
図２７に示すように、本実施例では分周回路２５０ｅにて生成する基準クロック信号のパルス幅を１ｍｓとしている。このように、分周回路２５０ｅにて生成する基準クロック信号のパルス幅を、球送り許可信号がイネーブル（Ｌｏｗ）となっている所定時間より短く設定することで、確実に球送り処理を行うことができ、確実に遊技球を発射することができる。また、基準クロック信号のパルス幅が小さい方が、発射許可信号がイネーブル（Ｈｉｇｈ−Ｌｏｗ）になってから球送りソレノイド１２ａが作動開始するまでの間隔が短くなり、球送り処理を迅速に行うことができる。
【０１４３】
Ｂ−４．音ランプ制御部の構成  ：
次に、音ランプ制御部２６０を図２８に基づいて説明する。図２８は、音ランプ制御部２６０に接続された各種遊技装置を示すブロック図である。音ランプ制御部２６０に設けられた音ランプ制御基板２６０ａには、ＣＰＵ、ＲＯＭ、ＲＡＭ、入出力ポート等を有する演算回路構成要素（図示略）とサウンドジェネレータ（図示略）が設けられており、入出力ポートにおいて主制御部２００に接続されている。
【０１４４】
図２８に示すように、音ランプ制御部２６０には、ランプインターフェース基板２６１を介して、１６連入球口ＬＥＤ基板２６２、各種盤面ＬＥＤ基板２６３、各種遊技枠部ＬＥＤ基板２６４等が接続されている。ランプインターフェース基板２６１は、各種ランプ類の駆動回路が搭載されており、音ランプ制御基板２６０ａから独立した別基板として構成されている。
【０１４５】
１６連入球口ＬＥＤ基板２６２は、１６連入球口２４のいずれかに入球した際に、対応する１６連入球口ＬＥＤ表示部２５のＬＥＤを点灯させるためのものである。盤面ＬＥＤ基板２６３および遊技枠ＬＥＤ基板２６４には、遊技効果ＬＥＤ基板等が接続されている。これらのランプ類はゲームの進行に対応して点灯・消灯又は点滅し、遊技効果を高めている。
【０１４６】
さらに、音ランプ制御部２６０にはアンプ基板２６５が接続されている。アンプ基板２６５にはスピーカ２６６および音量スイッチ基板２６７が接続されている。スピーカ２６６からは、遊技の進行に対応して各種サウンド、音声等が出力される。音量スイッチ基板２６７は、図示しない音量スイッチの操作に従ってスピーカ２６６の出力音量の設定を行うものである。また、音ランプ制御基板２６０には、モード切替スイッチ２６８が設けられている。モード切替スイッチ２６８はディップスイッチとして構成されており、電源投入時に遊技場従業員が操作する。モード切替スイッチ２６８により、図柄表示装置３１における背景や出現するキャラクタの変更等を行うことができる。
【０１４７】
Ｂ−５．図柄制御部の構成  ：
次に、図柄制御部２８０を図２９に基づいて説明する。図２９は、図柄制御部２８０に接続された各種遊技装置を示すブロック図である。図柄制御部２８０に設けられた図柄制御基板２８０ａには、ＣＰＵ、ＲＡＭ、ＲＯＭ、入出力ポート、ＶＤＰ（ビデオディスプレイプロセッサ）等を有する演算回路構成要素（図示略）が設けられ、入出力ポートにおいて主制御部２００に接続されている。
【０１４８】
図２９に示すように、図柄制御部２８０には、図柄表示装置３１を作動させる図柄表示装置基板２８１が接続されている。図柄制御部２８０は、ＣＰＵがＲＯＭに格納された制御プログラムに従ってＲＡＭをワークエリアとして使用することにより、図柄表示装置３１の表示制御を行う。また、図柄制御部２８０には、図示しない外部の試験装置を接続するための図示しない試験信号端子が複数設けられている。これらの試験信号端子は、誘導図柄用として使用されるものであり、図柄変動中信号などの信号を試験装置に送出することができる。
【０１４９】
図３０は、図柄制御に関するコマンドの流れを示すブロック図である。図３０に示すように、図柄制御に関するコマンドには、共通コマンドと図柄制御コマンドとがある。共通コマンドは、図柄表示装置３１で表示される図柄の表示制御コマンドを含んでおり、主制御部２００から音ランプ制御部２６０に送信される。音ランプ制御部２６０は、共通コマンドを受け取ると、そのまま図柄制御部２８０に送信する。図柄制御コマンドは、音ランプ制御部２６０が主制御部２００から受け取った共通コマンドに基づいて図柄制御部２８０に送信される。
【０１５０】
Ｂ−６．遊技確認時間  ：
電子制御装置に関する説明の最後に、遊技確認時間について説明しておく。図３１は、遊技確認時間について説明するための説明図である。本実施例の遊技機１では、ゲームとゲームとの問に遊技確認時間（本例では１６ｍｓ）が設けられている。図３１は主制御部２００から外部検査装置に出力される遊技中信号の出力タイミングチャートであり、図３１（ａ）は電源投入時の状態を示し、また図３１（ｂ）は遊技中の状態を示している。
【０１５１】
電源投入時には、図３１（ａ）に示すように、電源投入から遊技の結果が得られるまで、主制御部２００から外部の検査装置に遊技中であることを示す遊技中信号が試験信号端子から出力される。次回のゲーム以降は、図３１（ｂ）に示すように、遊技確認時間終了後から次のゲームの遊技の結果が得られるまで遊技中信号が出力される。この遊技中信号が出力されていない時間が遊技確認時間となる。この遊技確認時間により、外部検査装置側で１ゲームの開始および終了を明確に把握することが可能となる。
【０１５２】
また、遊技確認時間は、前のゲームにおける所定個数（例えば１５個）の遊技球すべてが複数の入球口（例えば、１６連入球口２４、第１役物作動口３２、第２役物作動口３３、左入球口２６、誘導増加装置作動領域４１ａ、排出口）へ入球・通過した後、後述の２秒間（一定時間）のインターバル時間の経過後または／および前述の０．５秒の入賞図柄確認時間の経過後において、遊技の結果が得られた際に設定される。このため、所定個数の遊技球の上記各入球口等への入球・通過以外に遊技機１に備えられた各遊技装置（例えば、遊技球払出装置１０９、役物誘導装置、誘導増加装置等）の作動・非作動状況をも明確化して１ゲームの区切りを完全に明確化できる。
【０１５３】
また、本実施例の遊技機１では、１ゲームにおいて所定個数の遊技球すべての発射が行われた後、次のゲームに進む前に所定のインターバル時間（例えば２秒）が設けられている。主制御部２００は、発射球カウントスイッチ２２１により１５個すべての遊技球が発射されたことを検出すると、インターバル機能を開始する。主制御部２００は、インターバル機能の開始により払出制御部２３０に発射禁止コマンドを送信する。これにより、払出制御部２３０から発射制御部２５０への発射許可信号がオフとなり、発射制御部２５０は発射モータ２５２の動作を禁止する。この結果、インターバル機能作動中は発射装置ユニット１０が停止する。インターバル機能は作動を開始してから２秒後に停止し、インターバル時間が終了する。
【０１５４】
Ｃ．遊技球発射制御の概要：
次に、図３２〜図３６を参照しながら、発射制御部２５０による遊技球の発射制御について説明する。
【０１５５】
図３２は、電源オン時における発射制御を示すタイミングチャートである。図３２に示すように、電源オンにより、発射強制信号および発射許可信号がイネーブル（Ｌｏｗ）となる。このとき、遊技者が発射ハンドル８を操作開始すると、タッチスイッチ８ａからの信号がＨｉｇｈとなり、発射モータ２５２が回転して槌１０ａが振り出され、遊技球の球送り処理がされていない状態で空打ちを１回行う。そして、原点センサ２５１による原点確認後、球送り処理を行う。なお、電源投入時に発射位置に遊技球が予め存在している場合には、上記空打ちで遊技球を発射してしまうが、これは発射球としてカウントしない。
【０１５６】
発射モータ２５２の原点は、上述のように槌１０ａの振り出される所定の発射角度から所定角度（例えば１５〜２００）だけ回転した位置と定められている。従って、本実施例のように電源投入後に一度だけ空打ちを行うことで、原点確認を行うことができ、確実な球送り処理を行うことができる。
【０１５７】
具体的には、原点センサ信号の立ち下がりを検出すると、球送り許可信号が６０ｍｓだけイネーブル（Ｌｏｗ）となり、球送りソレノイド１２ａが作動する。球送りソレノイド１２ａの作動終了とともに、発射強制信号をディセーブル（Ｈｉｇｈ）とする。遊技球は、球送りカウントスイッチ２５４を通過して発射装置ユニット１０の発射位置（発射球カウントスイッチ２２１）に送られる。そして、発射モータ２５２の回転により槌１０ａが回転し、遊技球が発射される。上述のように本実施例では、発射モータ２５２が１回転するのに要する時間、すなわち遊技球の発射間隔（発射周期）を５００ｍｓと設定している。したがって、１ゲームに１５球の遊技球を発射するものとすれば、本実施例において１ゲーム終了に要する最短時間は、５００ｍｓ×１５発＋インターバル時間（２秒）＝９．５秒となる。
【０１５８】
図３３は、連続動作中における発射制御を示すタイミングチャートである。図３３に示すように、遊技者が発射ハンドル８を操作することにより、発射モータ２５２が連続的に回転し、原点検出、球送り処理、遊技球発射が連続的に行われる。
【０１５９】
図３４は、発射を中断した場合の発射制御を示すタイミングチャートである。図３４に示すように、遊技者が発射ハンドル８から手を離すとタッチセンサ信号がＬｏｗとなり、遊技球の発射後、次の原点が検出された時点で発射モータ作動信号がＬｏｗとなって発射モータ２５２が停止する。これにより、遊技球の発射が中断される。
【０１６０】
図３５は、発射を再開する場合の発射制御を示すタイミングチャートである。図３５に示すように、遊技者が発射ハンドル８を操作することにより、球送り許可信号が６０ｍｓだけイネーブル（Ｌｏｗ）となり、球送りソレノイド１２ａが作動する。球送り許可信号の立ち下がりにより発射モータ２５２が作動開始し、遊技球発射が再開される。再開１球目の発射以降は、原点検出により球送り処理が行われる。
【０１６１】
図３６は、所定個数の遊技球を全て発射終了した場合の発射制御を示すタイミングチャートである。図３６に示すように、遊技球の発射数が所定個数（例えば１５個）に達した場合、原点が現れたところ、すなわち原点センサ信号の立ち下がりで発射許可信号をディセーブル（Ｈｉｇｈ）にする。これにより、遊技球の発射が終了する。
【０１６２】
発射モータ２５２の動作後、所定時間経過しても原点センサ２５１にて原点が検知できない場合、あるいは、発射モータ２５２の動作後、所定時間以上原点センサ２５１による原点の検知が続いた場合には、払出制御部２３０は発射装置ユニット１０で異常が発生したと判断し、エラーＬＥＤ表示部４ｈを赤色に点灯させ、発射装置ユニット１０による発射停止を行う。発射装置ユニット１０の異常エラーは、原点センサ２５１にて原点が検知できない場合には原点が検知できたとき、原点センサ２５１にて原点を検知し続けた場合には原点を検知しなくなったときに解除される。なお、発射装置ユニット１０の異常に関するエラー信号は、払出制御部２３０から後述の主制御部２００に送信される。
【０１６３】
Ｄ．パチンコ機全体の制御の概要  ：
Ｄ−１．メインジョブの概要  ：
次に、本実施例の遊技機１の制御の概要について、図３７〜図４９のフローチャートに基づいて説明する。図３７は、主制御部２００のＲＯＭに格納されたプログラムに基づいてＣＰＵ４００が実行するメインジョブの一例を示している。図３７に示すメインジョブは、電源投入処理Ｓｌ００を実行した後、遊技開始処理Ｓ２００、ゲーム管理処理Ｓ３００、入賞図柄処理Ｓ４００、役物処理Ｓ５００、得点増加装置処理Ｓ６００、誘導増加装置処理Ｓ７００、誘導図柄および役物誘導装置処理Ｓ８００の各ステップが、タイマによって割込が発生する毎に繰り返し実行される。なお、本実施例では、タイマが発生する割込周期は４ｍｓに設定されている。
【０１６４】
Ｄ−２．電源投入処理  ：
電源投入処理Ｓ１００を図３８のフローチャートに基づいて説明する。この電源投入処理は、電源投入時と電源断発生後の復電時に行われるものである。まず、電源投入時に必要な各種設定を行う（Ｓ１０１）。具体的には、スタックポインタをＲＡＭの所定アドレスに設定し、割り込みモードの設定を行い、ＲＡＭのアクセスを許可する。
【０１６５】
次に、ＲＡＭクリアスイッチが押されている場合、あるいは、ＲＡＭにバックアップフラグ（電源断の発生情報）が設定されていない場合には、電源投入時と判定してＲＡＭ初期化処理を行い、その後リターンする（Ｓ１０２、Ｓ１０３、Ｓ１０４）。ＲＡＭ初期化処理としては、ＣＰＵ周辺の内蔵デバイスの初期設定を行い、ＲＡＭの全領域を０クリアし、通常遊技中の初期値を設定し、割り込みを許可する。また、ゲーム開始フラグを設定する。
【０１６６】
一方、ＲＡＭにバックアップフラグが設定されている場合には電源断復帰時と判断し、電源断時に保護したＲＡＭの内容からチェックサムを算出して（Ｓｌ０５）、電源断時に作成、保存したチェックサムの内容と比較する（Ｓｌ０６）。これらのチェックサムが一致しない場合にはＲＡＭの内容が壊れていると判定し、上記Ｓｌ０４のＲＡＭ初期化処理を行う。
【０１６７】
一方、ＲＡＭの内容が正常にバックアップされている場合には、以下の復電時の処理を行う（Ｓ１０７）。まず、電源断直前のスタックポインタを復帰し、バックアップフラグをクリアする。次に、電源断時の遊技状態に復帰させるための復帰設定を行い、ＣＰＵ周辺デバイスの初期設定を行い、レジスタを電源断直前の状態に戻す。その後、電源断直前のプログラム実行位置に戻ってプログラムを再開する。
【０１６８】
Ｄ−３．遊技開始処理  ：
次に、遊技開始処理Ｓ２００を図３９のフローチャートに基づいて説明する。まず、主制御部２００に接続されているＲＡＭクリアスイッチ以外のすべてのスイッチを読み込み（Ｓ２０１）、各々のスイッチ状態を判定して検出情報を保存する（Ｓ２０２）。
【０１６９】
次に、当否判定用乱数、図柄表示用乱数等の各種乱数の更新を行う（Ｓ２０３）。具体的には、上述のＲＡＭに設定された乱数カウンタの値を、初期値（例えば０）から所定値（例えば２５５）の間で１ずつ加算する。乱数カウンタの値が所定値を超える場合には初期値に戻る。
【０１７０】
次に、Ｓ２０４〜Ｓ２１２の賞球制御を行う。まず、１６連入球口スイッチ２０４により１６連入球口２４の各入球口をチェックし、遊技球が１６連入球口２４に入球して入賞となる組合せが得られた場合には、該当する得点情報をＲＡＭに保存する（Ｓ２０４、Ｓ２０５）。次に、ケースレール球切れスイッチ１０８および下受け皿満タンスイッチ２２４により、球切れまたは満タン状態を判定する（Ｓ２０６）。
【０１７１】
球切れ又は満タン状態で賞球停止状態でない場合には、払出制御部２３０に払出不可指定コマンドを送信する（Ｓ２０７、Ｓ２０８）。球切れまたは満タン状態でなく賞球停止状態の場合には、払出制御部２３０に払出可指定コマンドを送信する（Ｓ２０９、Ｓ２１０）。保存した得点情報がある場合には、払出制御部２３０に得点に応じた賞球コマンドを送信する（Ｓ２１１、Ｓ２１２）。
【０１７２】
Ｄ−４．ゲーム管理処理  ：
次に、ゲーム管理処理Ｓ３００を図４０のフローチャートに基づいて説明する。まず、ゲーム開始フラグによりゲーム開始時か否かを判定する（Ｓ３０１）。この結果、ゲーム開始時であると判定された場合は、ゲーム開始時の設定処理を行う（Ｓ３０２）。ゲーム開始時の設定処理では、ゲームを行うにあたって必要な各種のフラグを確認したり、あるいはフラグやタイマを設定する処理を行う。
【０１７３】
一方、ゲーム開始時でない場合には、まず、球送りカウントスイッチ２５４により球送りの監視を行う（Ｓ３０３）。球送りカウントスイッチ２５４がオンの場合には、球送りカウンタを１加算する。球送りカウンタが１５以上になった場合には、払出制御部２３０に球送り禁止コマンドを送信し、球送りを終了する。次に、発射球カウントスイッチ２２２により発射球の監視を行う（Ｓ３０４）。発射球カウントスイッチ２２２がオンの場合には、発射カウンタを１加算する。発射カウンタが所定数（例えば１５）以上になった場合には、払出制御部２３０に発射禁止コマンドを送信して、全ての遊技球を発射完了とする。
【０１７４】
次に、ファール球検出スイッチ２２３によりファール球の監視を行う（Ｓ３０５）。具体的には、ファール球検出スイッチ２２３がオンの場合には、球送りカウンタおよび発射カウンタを１減算する。
【０１７５】
次に、１６連入球口スイッチ２０４により入球の監視を行う（Ｓ３０６）。１６連入球口スイッチ２０４により１６連入球口２４の各入球口をチェックし、遊技球が１６連入球口２４に入球した場合には入球カウンタを１加算し、入球カウンタが所定数（例えば１５）以上となった場合には全ての遊技球の入球が完了とする。
【０１７６】
次に、Ｓ３０７〜Ｓ３１４のゲーム終了チェック処理を行う。まず、遊技の結果が得られたか否か、すなわち１ゲームが終了したか否かを判定する。遊技の結果は、以下のすべての要件を満たしている場合に得られる。すなわち、発射カウンタにより全ての遊技球が発射と判定され（Ｓ３０７）、インターバル時間が経過したと判定され（Ｓ３０８）、入球カウンタにより全ての遊技球が入球したと判定され（Ｓ３０９）、入賞図柄確認時間が経過したと判定され（Ｓ３１０）、図柄表示装置３１の誘導図柄変動が終了したと判定され（Ｓ３１１）、第１役物作動口３２に入球した遊技球が誘導増加装置作動領域４１ａまたは排出口を通過したと判定され（Ｓ３１２）、獲得遊技球（賞球）の払出が完了したと判定された（Ｓ３１３）場合には、遊技の結果が得られたと判定できる。
【０１７７】
この結果、遊技の結果が得られた、すなわち１ゲームが終了したと判定された場合には、ゲーム終了処理としてゲーム終了フラグを１にして、リターンする（Ｓ３１４）。上記要件のいずれかを満たさないと判定された場合には、そのままリターンする。なお、ゲーム終了フラグが１に設定されると遊技の結果が得られ、図３３で示した遊技中信号が１６ｍｓの間オフとなる。したがって、遊技確認時間が設定され、その時間の経過後、次のゲームが開始可能となる。
【０１７８】
Ｄ−５．入賞図柄処理  ：
次に、入賞図柄処理Ｓ４００を図４１のフローチャートに基づいて説明する。まず、ゲーム終了フラグにより遊技の結果が得られたか否か判定する（Ｓ４０１）。この結果、遊技の結果が得られたと判定された場合には、遊技終了時の設定として、図柄制御部２８０に入賞図柄消灯コマンドを送信し、音ランプ制御部２６０にＬＥＤ消灯コマンドを送信する〈Ｓ４０１、Ｓ４０２）。その後リターンする。これにより、１６連入賞口ＬＥＤ表示部２５のＬＥＤが消灯する。
【０１７９】
一方、遊技の結果が得られていないと判定された場合には、遊技中であるか否か判定し（Ｓ４０３）、入球カウンタにより全ての遊技球の入球が完了したか否か判定し（Ｓ４０４）、１６連入球口スイッチ２０４により１６連入球口２４の各入球口に入球があったか否か判定する（Ｓ４０５）。この結果、遊技中であって全遊技球が入球完了する前に入球口に入球があった場合には、図柄制御部２８０に各入球口に対応した入賞図柄表示コマンドを送信し、音ランプ制御部２６０にＬＥＤ表示コマンドを送信し、リターンする（Ｓ４０６）。それ以外の場合はそのままリターンする。これにより、対応する１６連入賞口ＬＥＤ表示部２５のＬＥＤが点灯する。
【０１８０】
Ｄ−６．役物遊技処理  ：
次に、役物遊技処理Ｓ５００を図４２のフローチャートに基づいて説明する。まず、遊技中か否か判定する（Ｓ５０１）。この結果、遊技中でない場合にはそのままリターンする。一方、遊技中である場合には、Ｓ５０２〜Ｓ５０７の第１役物処理を行う。まず、第１役物が作動中であるか否か判定する（Ｓ５０２）。この結果、第１役物が作動中でないと判定された場合には、第１役物作動処理を行う（Ｓ５０３、Ｓ５０４、Ｓ５０５）。具体的には、全ての遊技球が入球したか否かを入球カウンタによって判定し、役物作動口スイッチ２１２ａにより第１役物作動口３２に入球があったか否かを判定する。この結果、全遊技球の入球が完了していない状態で、第１役物作動口３２に入球があった場合には、第１役物の作動を開始し、後述の第２役物処理に移る。それ以外の場合には、そのまま第２役物処理に移る。第１役物の作動により、１２・１３・１５・１６番の入賞図柄が点灯表示される。
【０１８１】
一方、第１役物が作動中と判定された場合には、第１役物作動終了処理を行う（Ｓ５０６、Ｓ５０７）。具体的には、ゲーム終了フラグにより遊技の結果が得られたか否か判定する。この結果、遊技の結果が得られたと判定された場合には、第１役物の作動を終了して第２役物処理に移る。一方、遊技の結果が得られていないと判定された場合には、そのまま第２役物処理に移る。
【０１８２】
次に、Ｓ５０８〜Ｓ５１３の第２役物処理を行う。まず、第２役物が作動中であるか否か判定する（Ｓ５０８）。この結果、第２役物が作動中でないと判定された場合には、全ての遊技球が入球したか否か、更に遊技球が第２役物作動口に入球したか否かを判断する（Ｓ５０９、Ｓ５１０）。全遊技球の入球が完了しているか否かは、入球カウンタの値によって判定することができる。また、遊技球が第２役物作動口３３に入球したか否かについては、役物作動口スイッチ２１２ｂにより検出することができる。そして、全ての遊技球の入球が完了した場合や（Ｓ５０９：ｙｅｓ）、第２役物作動口に入球していない場合は（Ｓ５１０：ｎｏ）、そのまま役物遊技処理を終了して、図３７に示したメインジョブに復帰する。
【０１８３】
一方、全ての遊技球の入球が完了していないと判断され（Ｓ５０９：ｎｏ）、更に、遊技球が第２役物作動口に入球したと判断された場合は（Ｓ５１０：ｙｅｓ）、第２役物の作動を開始する（Ｓ５２０）。そして、第２役物が作動すると、１１番、１３番、１４番、１５番の入球口に入球したことと同様の効果が発生し、対応する入賞図柄が点灯表示される。
【０１８４】
一方、第２役物が作動中と判定された場合には、第２役物作動終了処理を行う（Ｓ５１２、Ｓ５１３）。具体的には、ゲーム終了フラグにより遊技の結果が得られたか否かを判定し、遊技の結果が得られたと判定された場合には、第２役物の作動を終了してリターンする。一方、遊技の結果が得られていない場合には、そのままリターンする。
【０１８５】
Ｄ−７．得点増加装置処理  ：
次に、図４３のフローチャートに基づいて、得点増加装置処理Ｓ６００について説明する。まず、遊技中か否か判定し、遊技中でないと判定された場合には、そのままリターンする（Ｓ６０１）。一方、遊技中と判定された場合には、得点増加装置が作動中か否か判定する（Ｓ６０２）。
【０１８６】
この結果、得点増加装置が作動中でないと判定された場合には、得点増加装置作動処理を行う（Ｓ６０３〜Ｓ６０５）。具体的には、所定数の遊技球が全て入球したか否かを、入球カウンタによって判定し（Ｓ６０３）、続いて１６連入球口検知スイッチ２０４により１６番の入賞図柄に対応する入球口（得点増加装置作動口）２４ａに入球があったか否かを判定する。この結果、全ての遊技球が入球していない状態で、１６番の入球口２４ａに入球したと判定された場合には、得点増加装置の作動を開始し、リターンする。それ以外の場合にはそのままリターンする。
【０１８７】
一方、得点増加装置が作動中であると判定された場合には（Ｓ６０２：ｙｅｓ）、得点増加装置作動終了処理を行う（Ｓ６０６〜Ｓ６０８）。具体的には、遊技の結果が得られたか否かを、ゲーム終了フラグによって判定する（Ｓ６０６）。遊技の結果が得られていなければ（Ｓ６０６：ｎｏ）、そのまま得点増加装置処理を終了して、図３７に示したメインジョブに復帰する。
【０１８８】
一方、遊技の結果が得られている場合は（Ｓ６０６：ｙｅｓ）、そのゲームにおいて得点が成立したか否かを判断する（Ｓ６０７）。そして、得点が成立している場合は（Ｓ６０７：ｙｅｓ）、得点増加装置の作動を停止させた後（Ｓ６０８）、図４３に示す得点増加装置処理を終了する。これに対して、得点が成立していない場合は（Ｓ６０７：ｎｏ）、直ちに得点増加装置処理を終了する。すなわち、得点増加装置が作動しているにも関わらず（Ｓ６０２：ｙｅｓ）、そのゲームで得点が成立しなかった場合は（Ｓ６０６：ｙｅｓ、且つ、Ｓ６０７：ｎｏ）、得点増加装置を作動させたまま、得点増加装置処理を終了することになる。換言すれば、本実施例では、通常の場合すなわち得点が成立していれば、ゲームの終了時点では得点増加装置が停止されるのに対し、得点増加装置が作動したにも関わらず得点が成立しなかった場合にだけ、得点増加装置が作動したままゲームが終了することになる。
【０１８９】
Ｄ−８．誘導増加装置処理  ：
次に、誘導増加装置処理Ｓ７００を図４４のフローチャートに基づいて説明する。誘導増加装置処理を開始すると、先ず初めに、高確率フラグがＯＮに設定されているか否かを判断する（Ｓ７０２）。後述するように、高確率フラグは、図４６および図４７に示す誘導図柄および役物誘導増加装置処理中において、図柄表示装置３１に停止表示される誘導図柄が大当り図柄（本実施例では左領域３１ａ、中央領域３１ｂ、右領域３１ｃの図柄がいずれも「７」）であった場合に、第１役物誘導装置処理（図５１参照のこと）において設定される。そして、高確率フラグがＯＮに設定されていない場合は（Ｓ７０２：ｎｏ）、特別遊技装置３６の誘導増加装置作動領域４１ａの動作パターンを通常パターンに設定する（Ｓ７０４）。これに対して、高確率フラグがＯＮに設定されている場合は、誘導増加装置作動領域４１ａの動作パターンを高確率パターン、すなわち、遊技球が作動領域を通過しやすいパターンに設定する（Ｓ７０６）。
【０１９０】
図４５は、本実施例の特別遊技装置３６における誘導増加装置作動領域４１ａの動作パターンを例示した説明図である。図４５（ａ）は通常の動作パターンを示し、図４５（ｂ）は高確率状態の動作パターンを示している。図１０を用いて前述したように、誘導増加装置作動領域４１ａは、傾斜面３９の下端を一定周期で往復動する動作を行う。ここで、通常の動作パターンは、傾斜面３９の一端から他端までの範囲で往復運動を行うが（図４５（ａ）参照のこと）、高確率パターンでは、傾斜面３９の一端から他端までのほぼ中央位置で小さな振幅の往復運動を行う（図４５（ｂ）参照のこと）。
【０１９１】
前述したように、本実施例の特別遊技装置３６では、傾斜面３９の中央に浅く溝が設けられており、遊技球は傾斜面３９の中央部分から落下する確率が高くなっている。何故なら、遊技球が中央の通過穴３７ｂから出てきて傾斜面３９を転がる場合は、溝に導かれてまっすぐに進んで傾斜面３９の中央に落下する。これに対して、遊技球が他の通過穴３７ａ，３７ｃから出てきた場合は、通過穴から出てくるときの進行方向や遊技球の回転の影響で、一部の遊技球は傾斜面３９を斜めに転がり、中央に設けられた溝に捉えられる。すなわち、３つの通過穴から遊技球が出てくる確率は、いずれの通過穴についても等しいとしても、傾斜面３９に溝が設けられているため、中央の通過穴３７ｂから出てくる遊技球のみならず、他の通過穴３７ａ，３７ｃからの遊技球も一部は傾斜面３９の中央から落下することになる。このため、遊技球は傾斜面３９の中央部分から落下する確率が高くなっているのである。
【０１９２】
図４４に示した誘導増加装置処理のＳ７０２では、高確率フラグがＯＮに設定されているか否かを判断する。そして、高確率フラグがＯＮに設定されていると判断された場合は（Ｓ７０２：ｙｅｓ）、誘導増加装置作動領域４１ａの動作パターンを図４５（ｂ）に示したパターンに設定し（Ｓ７０６）、逆にＯＦＦに設定されていると判断された場合は（Ｓ７０２：ｎｏ）、図４５（ａ）に示したパターンに設定する処理を行うのである（Ｓ７０４）。
【０１９３】
こうして誘導増加装置作動領域４１ａの動作パターンを、通常パターンあるいは高確率パターンのいずれかに設定したら、今度は、遊技中か否かを判定する（Ｓ７０８）。そして、遊技中でないと判定された場合には（Ｓ７０８：ｎｏ）、そのまま誘導増加装置処理を終了して、図３７に示したメインジョブに復帰する。
【０１９４】
一方、遊技中と判定された場合には（Ｓ７０８：ｙｅｓ）、誘導増加装置（ここでは特別遊技装置３６に該当）が作動しているか否かを判定する（Ｓ７１０）。この結果、誘導増加装置が作動していないと判定された場合には、作動領域スイッチ２１４により遊技球が誘導増加装置作動領域４１ａを通過したか否かを判定する（Ｓ７１２）。そして、遊技球が誘導増加装置作動領域４１ａを通過したと判定された場合には（Ｓ７１２：ｙｅｓ）、誘導増加装置を作動させた後（Ｓ７１４）、誘導増加装置処理を終了して図３７に示したメインジョブに復帰する。一方、Ｓ７１２において遊技球が誘導増加装置作動領域４１ａを通過していないと判定された場合は（Ｓ７１２：ｎｏ）、誘導増加装置を作動させることなく、そのまま処理を抜けて図３７のメインジョブに復帰する。
【０１９５】
こうして誘導増加装置が作動すると、役物誘導装置作動ゲート３０が有効となる。そして、ゲートの有効期間に遊技球が役物誘導装置作動ゲート３０を通過すると、第２役物誘導装置が作動して第２役物作動口３３が開放されることになる。また、詳細な処理内容は後述するが、誘導増加装置が作動している間は、第１役物誘導装置が作動する確率が増加する。尚、本実施例では、第１役物誘導装置が作動する確率を、誘導増加装置未作動時（通常遊技状態中）では１／５０とし、誘導増加装置作動時（特別遊技状態中）では１／１に増加させる。
【０１９６】
このようにして開始された特別遊技状態は、所定回数の単位遊技（ここでは１４ゲーム）だけ繰り返されるが、この繰り返しの途中で、遊技球が重ねて誘導増加装置作動領域４１ａを通過すると、その時点で特別遊技状態が終了してしまう。このような状態は、パンク状態と呼ばれる。このような動作を行うことに対応して、Ｓ７１０において誘導増加装置が作動中と判断された場合、すなわち遊技球が既に誘導増加装置作動領域４１ａを通過している場合は（Ｓ７１０：ｙｅｓ）、重ねて遊技球が誘導増加装置作動領域４１ａを通過したか否かを判断する（Ｓ７１６）。具体的には、作動領域スイッチ２１４を用いて、遊技球が再び誘導増加装置作動領域４１ａを通過したか否かを検出する。
【０１９７】
そして、作動領域４１ａを遊技球が通過していないと判断された場合は（Ｓ７１６：ｎｏ）、特別遊技状態の開始から１４ゲーム分を終了したか否かを判断する（Ｓ７１８）。未だ、１４ゲームが終了していなければ（Ｓ７１８：ｎｏ）、そのまま誘導増加装置処理を終了して図３７のメインジョブに復帰するが、１４ゲームが終了したと判断された場合は、特別遊技状態を終了させるべく、誘導増加装置の作動を停止する（Ｓ７２０）。誘導増加装置の作動が停止されると、役物誘導装置作動ゲート３０も無効になる。
【０１９８】
一方、特別遊技状態の途中で、遊技球が重ねて誘導増加装置作動領域４１ａを通過したと判断された場合は（Ｓ７１６：ｙｅｓ）、パンク状態が発生したことを報知した後（Ｓ７２２）、誘導増加装置の作動を停止させる。パンクの報知は、例えば図柄表示装置３１に設けられた所定のＬＥＤを点灯させることによって行うことができる。パンクになると、１４ゲーム経過する前に特別遊技状態が終了してしまうが、パンク状態が発生したことを遊技者に報知しておけば、特別遊技状態が突然終了したことに対して、遊技者が不満を訴えたり、機械の故障を訴えることがない。その結果、パンクしたことに起因して、遊技者と遊技場従業員とのトラブルが発生することを回避することができ、遊技の健全性を高めることが可能となる。
【０１９９】
Ｄ−９．誘導図柄および役物誘導装置処理  ：
次に、誘導図柄および役物誘導装置処理Ｓ８００を  、図４７のフローチャートに基づいて説明する。まず、第１役物誘導装置が作動しているか否か判定する（Ｓ８０１）。この結果、第１役物誘導装置が作動中であると判定された場合には（Ｓ８０１：ｙｅｓ）、後述のＳ８１６〜Ｓ８１８で示す役物誘導装置終了処理を行う。一方、第１役物誘導装置が作動中でないと判定された場合には（Ｓ８０１：ｎｏ）、誘導図柄が変動中か否か判定する（Ｓ８０２）。
【０２００】
この結果、誘導図柄が変動中であると判定された場合は（Ｓ８０２：ｙｅｓ）、後述のＳ８０９で示す変動時間経過判定処理に移る。一方、誘導図柄が変動中でないと判定された場合には（Ｓ８０２：ｎｏ）、誘導図柄の停止表示時間中であるか否かを判定する（Ｓ８０３）。
【０２０１】
この結果、誘導図柄の停止表示時間中であると判定された場合には（Ｓ８０３：ｙｅｓ）、後述のＳ８１１で示す停止表示時間経過判定処理に移る。一方、誘導図柄の停止表示時間中でないと判定された場合には（Ｓ８０３：ｎｏ）、誘導図柄作動ゲートスイッチ２０１により遊技球が誘導図柄作動ゲート２９を通過したか否かを判定する（Ｓ８０４）。
【０２０２】
この結果、遊技球が誘導図柄作動ゲート２９を通過していないと判定された場合は（Ｓ８０４：ｎｏ）、そのままリターンする。一方、遊技球が誘導図柄作動ゲート２９を通過したと判定された場合は（Ｓ８０４：ｙｅｓ）、誘導図柄当否判定を行う（Ｓ８０５）。
【０２０３】
ここで、誘導図柄当否判定処理（図４６のＳ８０５）を図４８のフローチャートに基づいて説明する。誘導図柄当否判定処理では、先ず初めに、当否判定用乱数の値が当たり値か否かを判断する（Ｓ８０５１）。ここで、当否判定用乱数の値は、遊技球が誘導図柄作動ゲート２９を通過したタイミングで、乱数カウンタから予め取得されている。また本実施例では、当たり値として、中当たり値と大当り値とが予め設定されている。
【０２０４】
そして、当否判定用乱数の値が、これらいずれかの当たり値と一致していると判断された場合は（Ｓ８０５１：ｙｅｓ）、当たり態様が大当りか否か、すなわち当否判定用乱数が大当り値と一致しているのか否かを判断する（Ｓ８０５２）。当たり態様が大当りである場合は（Ｓ８０５２：ｙｅｓ）、図柄表示装置３１に停止表示される誘導図柄を、大当り用の停止図柄（本実施例では「７」）に設定した後（Ｓ８０５３）、大当り予定フラグをセットする（Ｓ８０５４）。一方、当たり態様が大当りでない場合は（Ｓ８０５２：ｎｏ）、停止表示される誘導図柄を中当たり用の停止図柄（本実施例では「３」）に設定した後（Ｓ８０５５）、中当たり予定フラグをセットする（Ｓ８０５６）。
【０２０５】
また、Ｓ８０５１において当否判定用乱数の値が当たりでないと判断された場合は（Ｓ８０５１：ｎｏ）、図柄表示装置３１に表示される外れ停止図柄を設定する（Ｓ８０５７）。尚、外れ停止図柄とは、図柄表示装置３１の３つの表示領域に停止表示される図柄がすべて同一とならないように設定されるものである。そして、当否判定用乱数の値が当たりでなかった場合は、こうして外れ停止図柄を一旦は設定した後、誘導増加装置が作動中か否かを判断する（Ｓ８０５８）。そして、誘導増加装置が作動中であると判断された場合は（Ｓ８０５８：ｙｅｓ）、大当たり停止図柄を設定した後（Ｓ８０５３）、大当たり予定フラグのセットを行う（Ｓ８０５４）。すなわち、誘導増加装置作動中は、例え、当否判定用乱数が当たり値と一致していない場合でも、常に図柄表示装置３１の誘導図柄は大当たり図柄の組合せで停止表示され、後述する第１役物誘導装置処理により第１役物作動口３２が開放されることになる。つまり、誘導増加装置作動中に遊技球が誘導図柄作動ゲート２９を通過した場合は、当否判定の結果に関係なく、１／１の確率で第１役物誘導装置が作動して第１役物作動口３２が開放されることになる。尚、本実施例では、外れ停止図柄の設定後（Ｓ８０５７）、誘導増加装置作動中の場合（Ｓ８０５８：ｙｅｓ）には、大当たり停止図柄の設定（Ｓ８０５３）および大当たり予定フラグのセット（Ｓ８０５４）をしているが、大当たり停止図柄を設定せずに大当たり予定フラグをセットしても良い。この場合、誘導増加装置作動中に限り、図柄表示装置３１に外れ停止図柄が停止表示されても、後述する第１役物誘導装置処理により第１役物作動口３２が開放されることになる。また、外れ停止図柄の設定後（Ｓ８０５７）、誘導増加装置作動中の場合（Ｓ８０５８：ｙｅｓ）、中当たり停止図柄を設定した後（Ｓ８０５５）、中当たり予定フラグのセット（Ｓ８０５６）を行うようにしても良い。
【０２０６】
一方、Ｓ８０５８において、誘導増加装置が作動中ではないと判断された場合は（Ｓ８０５８：ｎｏ）、図４８に示した誘導図柄当否判定処理を抜けて、図４６に示した誘導図柄および役物誘導増加装置処理に復帰する。ここで、本実施例では、当たり値として中当たり値および大当たり値の２種類を設定し、取得した当否判定用乱数の値に基づいて、当たり態様を中当たりまたは大当たりのどちらか一方の振り分けているが、当たり値を１種類としても良い。この場合、当たり図柄を中当たり図柄とするか大当たり図柄とするかの判断をするために、当たり図柄値として中当たり図柄値と大当たり図柄値の２種類を予め設定しておき、以下の処理を行うようにする。すなわち、当否判定用乱数の値が当たり値と一致すると判断された場合（前述のＳ８０５１：ｙｅｓに相当）に当たり図柄判定用乱数を取得し、その取得した乱数の値が大当たり値と一致するか否かを判断する（前述のＳ８０５２に相当）。これにより、本実施例と同様に、図柄表示装置３１に停止表示される当たり図柄を中当たり図柄と大当たり図柄のどちらか一方に設定することができ、当たり態様を中当たりと大当たりのどちらか一方に振り分けることができる。
【０２０７】
誘導図柄および役物誘導装置処理では、誘導図柄当否判定処理から復帰すると、図柄表示装置３１に表示される誘導図柄の変動時間設定および変動パターンの設定を行い（図４６のＳ８０６）、図柄制御部２８０に所定の図柄制御コマンドを送信し、誘導図柄の変動を開始する（Ｓ８０７）。なお、誘導図柄の変動時間は状況に応じて適切な値に設定することができるが、本実施例では、１．５秒前後の値に設定されている。
【０２０８】
次に、誘導図柄変動時間が経過したか否かの判定を行う（Ｓ８０８）。この結果、誘導図柄変動時間が経過していないと判定された場合にはそのままリターンする。一方、誘導図柄変動時間が経過していると判定された場合には、誘導図柄を停止させ（Ｓ８０９）、誘導図柄停止表示時間（本例では０．５秒）を設定する（Ｓ８１０）。
【０２０９】
次に、誘導図柄停止表示時間が経過したか否かの判定を行う（Ｓ８１１）。この結果、誘導図柄停止表示時間が経過していないと判定された場合には、そのままリターンする。一方、誘導図柄停止表示時間が経過していると判定された場合には、誘導図柄が当たりか否かを判定する（Ｓ８１２）。本実施例では、誘導図柄の当たり態様には、中当たりと大当りとが設けられており、Ｓ８１２では、中当たり予定フラグまたは大当たり予定フラグ（図４８参照）がセットされていれば、当たりであると判断する。この結果、誘導図柄が当たりでないと判定された場合には（Ｓ８１２：ｎｏ）、そのままリターンする。一方、誘導図柄が当たりと判定された場合には（Ｓ８１２：ｙｅｓ）、後述する第１役物誘導装置処理を開始する（Ｓ８１３）。
【０２１０】
次に、図４９のフローチャートに示すガイド処理を行う（Ｓ８１４）。ここでは、特別遊技状熊終了後の最初のゲーム開始時に第１役物作動口３２が開放したままの状態となるように、遊技者に狙い所をガイドし、それにより、連続した特別遊技状態の発生（いわゆる連荘）の確率を高くするものである。
【０２１１】
まず、誘導増加装置が作動しているか否かを判定し（Ｓ８１４１）、誘導増加装置が作動していない場合には、そのままリターンする。一方、Ｓ８１４１で誘導増加装置が作動していると判定された場合には、誘導増加装置の作動開始から１２ゲームが終了したか否かの判定を行う（Ｓ８１４２）。この結果、１２ゲームが終了していないと判定された場合には、そのままリターンする。
【０２１２】
一方、１２ゲームが終了したと判定された場合には、第１役物作動口３２が閉鎖しているか否か（第１役物誘導装置が作動中か否か）を判定し（Ｓ８１４３）、第１役物作動口３２が閉鎖している場合には、図柄制御部２８０に図柄制御コマンドを送信して、左打ちを行うようにガイドする（Ｓ８１４４）。図柄表示装置３１には、図示しないガイド表示部が設けられており、遊技者に対して左打ちあるいは右打ちのガイドを行うことが可能となっている。左打ちにより遊技球が誘導図柄作動ゲート２９を通過すると、図柄表示装置３１において誘導図柄変動が開始される。尚、この場合は誘導増加装置が作動中であるため、図４８に示すように誘導図柄の当否判定の結果に関わらず、誘導図柄は常に大当たり図柄で停止表示される。これにより第１役物誘導装置が作動して、第１役物作動口３２が開放される。特に、誘導図柄が大当り図柄（本実施例では「７」）で停止表示された場合には、後述するように第１役物作動口３２は中当たり状態の時よりも更に遊技球が入球し易い開放状態となり、また、誘導増加装置作動領域４１ａも遊技球が通過し易い動作パターンで移動することになる。
【０２１３】
左打ちをガイドした後、誘導図柄が当たりか否かを判定する（Ｓ８１４５）。この結果、誘導図柄が当たりでないと判定された場合には、そのままリターンする。一方、誘導図柄が当たりと判定された場合には、図柄制御部２８０に図柄制御コマンドを送信し、図柄表示装置３１のガイド表示部にて右打ちをするようにガイドする（Ｓ８１４７）。また、Ｓ８１４３にて第１役物作動口３２が閉鎖していない（開放されている）と判定された場合も、右打ちをする旨のガイドを図柄表示装置３１のガイド表示部にて行う（Ｓ８１４７）。なお、Ｓ８１４４で左打ちをガイドした後に誘導図柄が当たりになった場合、誘導図柄が当たりと判定されてから所定時間（例えば、４秒）経過後に、第１役物作動口３２を開放させるようになっている。
【０２１４】
このように、図柄表示装置３１のガイド表示部にて、誘導増加装置の作動開始に関する情報として右打ちをするようにガイドすることにより、第１役物作動口３２への入球を回避しつつ、役物誘導装置作動ゲート３０、第２役物作動口３３などを遊技者に狙わせることができる。
【０２１５】
そして、図柄表示装置３１のガイド表示部にて右打ちをするようにガイドして、第１役物作動口３２への入球を回避させることにより、特別遊技状態終了後の最初のゲーム開始時に第１役物作動口３２が開放した状態にすることができ、このとき、遊技球を第１役物作動口３２に入球させ、この遊技球が特定の領域（誘導増加装置作動領域４１ａ）を通過すれば、特別遊技状態を再度発生させることができる。したがって、連荘に対する遊技者の期待感を格段に高めて、興趣を向上させることができる。
【０２１６】
また、誘導増加装置の作動開始から１２ゲームが終了した時点で、図柄表示装置３１のガイド表示部にて左打ちをガイドすることにより、仮に１３ゲーム目で遊技球が誘導図柄作動ゲート２９を通過しなかった場合でも、１４ゲーム目で遊技球が誘導図柄作動ゲート２９を通過すれば、誘導図柄が大当たり図柄で停止表示され、第１役物作動口３２が開放される。したがって、１３ゲームが終了した時点で左打ちをガイドする場合よりも高い確率で、特別遊技状態終了後の最初のゲーム開始時に第１役物作動口３２が開放した状態にすることができる。
【０２１７】
次に、図４７に戻り、上記Ｓ８０１で第１役物誘導装置が作動中と判定された場合には、役物誘導装置終了処理を行う（Ｓ８１６、Ｓ８１７、Ｓ８１８）。具体的には、第１役物作動口３２に入球したか否かを判定し、遊技の結果が３回得られたか否かを判定する。この結果、第１役物作動口３２に入球したか、あるいは遊技の結果が３回得られたと判定された場合には、第１役物誘導装置の作動を停止する。これにより、第１役物作動口３２が閉鎖する。一方、いずれかの条件を満たさない場合には、そのままリターンする。
【０２１８】
Ｄ−１０．電源断発生処理  ：
次に、電源断発生処理Ｓ９００を図５０のフローチャートに基づいて説明する。この電源断発生処理は、停電等によって電源断が発生してノンマスカブル割り込みが発生した場合に行われる。
【０２１９】
まず、使用レジスタをＲＡＭに退避し、スタックポインタの値を保存する（Ｓ９０１、Ｓ９０２）。次に、遊技球払出装置の賞球残数を確認するために、払出センサ１０９ｊ、１０９ｋの監視を所定時間（本例では８４ｍｓ）行い、第１役物作動口３２および第２役物作動口３３の役物作動口スイッチ２１２ａおよび２１２ｂを通過する遊技球の監視を所定時間（本例では８４ｍｓ）行う（Ｓ９０３、Ｓ９０４）。次に、チェックサムを算出して保存し、バックアップフラグをセットする（Ｓ９０５、Ｓ９０６）。次に、ＲＡＭへのアクセスを禁止し、システムリセットが発生するまで無限ループ処理を行う（Ｓ９０７）。ＲＡＭデータは、図示しないバックアップ電源部により補償される。システムリセットが発生した場合には、上記電源投入処理Ｓ１００に移る。
【０２２０】
Ｄ−１０．第１役物誘導装置処理  ：
最後に、図柄表示装置３１において誘導図柄が中当たり図柄または大当たり図柄で停止表示された場合に行われる第１役物誘導増加装置処理（図４７のＳ８１３）について説明する。
【０２２１】
図５１は、本実施例の遊技機１で行われる第１役物誘導装置の流れを示すフローチャートである。処理を開始すると、先ず初めに図柄表示装置３１で停止表示された誘導図柄が大当り図柄（本実施例では「７」の図柄）であるか否かを判断する（Ｓ８５２）。尚、ここでは、図４８にて説明した大当たり予定フラグがセットされていれば大当たり図柄であると判断し、中当たり予定フラグがセットされていれば、大当たり図柄ではなく中当たり図柄であると判断する。そして、大当り図柄であると判断された場合は（Ｓ８５２：ｙｅｓ）、第１役物作動口３２を第１のパターンで開放する（Ｓ８５４）。第１役物作動口３２を第１のパターンで開放すると、第１役物作動口３２は所定期間、開放状態で保持された状態となる。次いで、図４４の誘導増加装置処理中で説明した高確率フラグをＯＮにセットする（Ｓ８５６）。高確率フラグがＯＮにセットされると、図４５（ｂ）に示したように、誘導増加装置作動領域４１ａは、遊技球が通過し易い動作パターンで移動する。
【０２２２】
一方、Ｓ８５２において、図柄表示装置３１に停止表示された誘導図柄が大当り図柄ではなく、中当たり図柄であると判断された場合は（Ｓ８５２：ｎｏ）、第１役物作動口３２を第２のパターンで開放する（Ｓ８５８）。第１役物作動口３２を第２のパターンで開放すると、第１役物作動口３２は、周期的に開放状態と閉鎖状態とを繰り返す動作を、所定期間の間実施する。上述したように、第１役物作動口３２が第１のパターンで開放される場合は、所定期間は常に開放状態となるのに対して、第２のパターンで開放される場合は開放状態と閉鎖状態とを繰り返すことから、第１のパターンで開放した方が、遊技球が第１役物作動口３２に入球し易くなっている。ついで、高確率フラグをＯＦＦにセットする（Ｓ８６０）。高確率フラグがＯＦＦにセットされると、誘導増加装置作動領域４１ａは、図４５（ａ）に示したような通常の動作パターンで移動することになる。
【０２２３】
第１役物誘導装置処理では、以上のようにして、第１役物作動口３２を、第１あるいは第２のパターンのいずれかのパターンで開放した後、大当りの場合には高確率フラグをＯＮにして、中当たりの場合は高確率フラグをＯＦＦにする処理を行った後、図４６および図４７に示した誘導図柄および役物誘導増加装置処理に復帰する。
【０２２４】
このように、本実施例の遊技機１では、図柄表示装置３１で停止表示される誘導図柄が、大当り図柄であった場合には、遊技球が入球し易い状態で第１役物作動口３２が開放され、中当たり図柄であった場合は、それほどには入球し易くない状態で開放される。すなわち、図柄表示装置３１で停止表示される誘導図柄の組合せ（種類）によって、遊技状態に変化を付けることが可能となり、遊技者の興趣を高めることができる。
【０２２５】
加えて、本実施例の遊技機１では、誘導図柄が大当り図柄で停止表示された場合には、特別遊技装置３６に組み込まれた誘導増加装置作動領域４１ａの動作パターンが切り換わり、遊技球が入球し易いパターンとなる。前述したように、第１役物作動口３２に入球した遊技球は特別遊技装置３６の内部に導かれ、この遊技球が誘導増加装置作動領域４１ａに入球すると、遊技者に有利な遊技状態である特別遊技状態が開始される。結局、図柄表示装置３１の誘導図柄が大当り図柄で停止表示されると、第１役物作動口３２に遊技球が入球し易くなるだけでなく、入球した遊技球が高い確率で誘導増加装置作動領域４１ａに入球して特別遊技状態が開始されることになる。従って、誘導図柄が大当たり図柄で停止表示されるか否かによって、遊技内容によりはっきりとしたメリハリを付けることができるので、遊技者の興趣を大きく高めることが可能となる。
【０２２６】
尚、以上の説明では、遊技球がもっとも入球し易い第１の開放パターンは、第１役物作動口３２が所定時間の間、開放状態で保たれるパターンであり、このパターンよりも遊技球の入球し難い第２の開放パターンは、開放状態と閉鎖状態とを繰り返すパターンであるものとした。しかし、第１のパターンと第２のパターンとは、遊技球の入球し易さが異なっていれば良く、他の態様とすることも可能である。例えば、図５２に示すように、第１役物作動口３２に設けられた可動片３２ｗの回転角度を変えることによって、第１役物作動口３２の開放量を変えて遊技球の入球し易さを異ならせることとしてもよい。
【０２２７】
図５２（ａ）は、閉鎖状態の第１役物作動口３２を示している。図示されているように、第１役物作動口３２に設けられた一対の可動片３２ｗは、リンク機構３２ｋを介してアクチュエータ３２ｃに接続されている。閉鎖状態ではアクチュエータ３２ｃは通電されておらず、このため、アクチュエータ３２ｃのロッドはバネの力によって最大限に引き出された状態となっており、これに伴って、一対の可動片３２ｗはほぼ直立状態となっている。このように、可動片３２ｗが直立状態である場合には、第１役物作動口３２の開放量は遊技球１個分となり、真上から遊技球が落ちてこない限り、第１役物作動口３２に入球することは困難である。しかし、図８に示す通り、第１役物作動口３２の上方には、一般的に障害釘３２ｇが設けられているので、真上から落ちてくる遊技球が入球することはない。よって、可動片３２ｗが直立状態にある時、第１役物作動口３２は閉鎖状態となる。
【０２２８】
図５２（ｂ）は、第１役物作動口３２が第１のパターンで開放した状態を概念的に示している。アクチュエータ３２ｃを駆動すると、アクチュエータ３２ｃのロッドがバネの力に抗して最大限まで引き込まれ、その動きがリンク機構３２ｋを介して伝達されて一対の可動片３２ｗが外側に向かって回転させる。その結果、図示されているように、可動片３２ｗが大きく開いた状態となって、第１役物作動口３２に遊技球が入球し易くなる。
【０２２９】
図５２（ｃ）は、第１役物作動口３２が第２のパターンで開放した状態を概念的に示している。第２のパターンでは、アクチュエータ３２ｃのロッドはほぼ半分位置まで引き込まれた状態となっている。サーボ機能付きのアクチュエータを用いたり、あるいはアクチュエータに印加する電圧をＰＷＭ制御することで、ロッドが中間的な位置まで引き込まれた状態とすることができる。その結果、第２のパターンでは、図示されているように第１役物作動口３２の可動片３２ｗが少し開いた状態となり、可動片３２ｗが直立している通常状態よりは遊技球が入球し易いが、可動片３２ｗが全開状態となっている第１のパターンよりは遊技球が入球し難い状態となる。
【０２３０】
このようにしても、第１のパターンと第２のパターンとで遊技球の入球し易さを異ならせ、第２のパターンよりも第１のパターンの方が入球し易くすることができる。このため、図柄表示装置３１の誘導図柄が大当り図柄で停止表示した場合に、他の当たり図柄で停止表示した場合よりも、第１役物作動口３２に遊技球が入球し易くすることができ、遊技内容にメリハリを付けることで遊技者の興趣を効果的に高めることが可能となる。
【０２３１】
以上の遊技機１の構成により、以下のような効果を得ることができる。
【０２３２】
（１）図柄制御部２８０で１つの図柄表示装置３１を制御するように構成することで、図柄制御基板２８０ａにＬＥＤ駆動回路等を設ける必要がなく、図柄制御部２８０をパチンコ遊技機と共用化することができる。また、図柄表示装置３１を、任意の図柄を表示可能な液晶（ＬＣＤ）などの表示装置を用いて構成した場合には、誘導図柄の表示に加えて入賞図柄も図柄表示装置３１に表示することが可能である。この結果、次のような効果も得ることが可能となる。先ず、入賞図柄を表示するための１６連入球口ＬＥＤ表示部２５を、図柄表示装置３１で代用させることができるので、図柄表示を制御する図柄制御部２８０の構成を簡略化することができる。これにより、図柄制御基板２８０ａの端子数を減らすことができるので、図柄制御基板２８０ａのコストを低減することができる。また、図柄表示装置３１として、任意の図柄を表示できる表示装置を用いることで、例えばキャラクタや数字等を用いて入賞図柄を表現することができる。入賞図柄の配列も本実施例のような横一列に限らず、任意に変更することが可能となる。このように、多彩な表示方法で入賞図柄の表示を行うことができる。さらにまた、本実施例のガイド表示部のように、遊技の進行に応じて任意にメッセージを表示する遊技情報報知部を図柄表示部３１に設けることで、例えば遊技者の利益に関連する情報および不利益に関連する情報を指示報知する指示報知情報を表示して、ナビゲーションを行うことができる。具体的には、遊技情報報知部では遊技者が狙うべきところ、あるいは狙うべきでないところを指示報知することができる。
【０２３３】
（２）ケースレール１０８の球詰まりに対して複数段階のエラー状態を設定し、ケースレール１０８の複数の樋のいずれかの樋で球詰まりが発生した場合でも直ちに遊技球払出装置１０９を停止させず、警告報知をしながら球詰まりが発生していない残りの樋で払い出しを継続することで、遊技を進行させることができる。これにより、ケースレール１０８で球詰まりが発生した場合でも、遊技機１の稼働率の低下を抑制することができる。
【０２３４】
（３）また、タンク球切れスイッチ２３２からの信号と払出センサ１０９ｊ、１０９ｋからの信号とに基づいて、ケースレール１０８内の球詰まりを検出することで、ケースレール１０８の遊技球の有無を検出するスイッチを設ける必要がなく、回路構成を簡略化することができる。
【０２３５】
（４）また、遊技球払出装置１０９にて遊技球の払い出しを停止する前に、カム１０９ｇ、１０９ｈを一旦減速させてから停止させることで、払出モータ１０９ｆにかかる負荷が急激に変化するのを防止でき、払い出しの高速化に伴うカム１０９ｇ、１０９ｈの脱調を防止できる。これにより、遊技球払出装置１０９の払い出しを正確に行うことができる。同様に、遊技球払出装置１０９にて遊技球の払い出し開始時においても、払出モータ１０９ｆの回転速度を通常の回転速度より遅い回転速度から回転を開始することで、払出モータ１０９ｆにかかる負荷が急激に変化するのを防止でき、カム１０９ｇ、１０９ｈの脱調を防止できる。これにより、遊技球払出装置１０９の払い出しを正確に行うことができる。
【０２３６】
（５）また、ケースレール１０８における遊技球払出装置１０９の直前に、垂直に所定の長さを有する垂直部１０８ｂを設けることで、遊技球の自重により遊技球払出装置１０９に供給される遊技球の球圧を上げることができ、払出速度を高速化することができる。さらに、遊技球払出中に払い出しを定期的に停止する所定の払出停止時間を設けることで、払出停止時間中に球圧を上げることができ、払出速度をより高速化することができる。このように定期的に払い出しを停止することで、球圧が上がりすぎて球噛み等が発生することを防止でき、遊技球の正確な払い出しを行うことができる。これにより、遊技球払出装置１０９の作動中に払出センサ１０９ｊ、１０９ｋで遊技球が検出されずにエラーが発生する原因を取り除くことができる。
【０２３７】
（６）また、払出センサ１０９ｊ、１０９ｋからの信号を払出制御部２３０にて受け取って払出個数を計数し、賞球数分のパルス信号を主制御部２００に送信することで、１種類の払出センサ１０９ｊ、１０９ｋで賞球数と貸球数を計数することが可能となるため、賞球数を計数するための賞球センサと貸球数を計数するための貸球センサを別々に設ける必要がない。これにより、回路構成を簡略化することができる。また、遊技球を賞球センサと貸球センサに振り分けるために、遊技球通路１０９ａ、１０９ｂを賞球センサ用の通路と貸球センサ用の通路に分離する必要がなく、遊技球払出装置１０９の構成を簡素化することができる。すなわち、賞球センサ用通路と貸球センサ用通路に遊技球を振り分けるために、通路切替用部材を設けたり、あるいは払出モータ１０９ｆの回転方向を変える必要がない。
【０２３８】
（７）また、遊技球払出装置１０９における払出速度の高速化に伴い、払出センサ１０９ｊ、１０９ｋにおける遊技球の通過速度が高速化する。この場合、払出センサ１０９ｊ、１０９ｋの出力時間が払出制御部２３０の制御間隔より短いと遊技球の通過を検知できない可能性があるが、本実施例の払出制御部２３０では、制御間隔を主制御部２００より短く設定しているので、遊技球の通過を確実に検知することができる。
【０２３９】
（８）また、払出制御部２３０から賞球数分のパルス信号を主制御部２００のＣＰＵ４００のカウンタにソフト出力することで、主制御基板２００ａにセンサ入力用のＩ／０ポートを設ける必要がない。これにより、Ｉ／０ポート増設に伴うコストアップを回避できる。
【０２４０】
（９）また、主制御部２００のＣＰＵ４００のカウンタに賞球数分のパルス信号を入力し、ＣＰＵ４００はカウンタを参照して制御を行うように構成することで、ポート入力処理、チャタリング処理といったプログラムが不要となり、プログラム容量を削減することができる。さらに、カウンタはＣＰＵの動作とは独立して動作しているため、ＣＰＵの割り込み速度（ポートサンプリング速度）に対して微妙な入力信号に対しても入力が可能であり、入力信号に対して確度の高いカウントが可能となる。
【０２４１】
（１０）また、発射モータ２５２の原点を検出する原点センサ２５１を設け、発射制御部２３０が発射モータ２５２の原点確認後に球送り処理を行うことで、正確な球送りを行うことができ、確実に所定数の遊技球の発射を行うことができる。さらに電源投入後、遊技者が発射ハンドル８に触れた際に槌１０ａの空打ちを１回行うことで、電源投入時における原点確認を確実に行うことができる。これにより、電源投入後、初回の球送りを確実に行うことができる。さらにまた、槌１０ａの先端を発射球カウントスイッチ２２２から退避した位置に配置しているので、槌先の検出による発射球誤検知を防止できる。また、基準クロック信号のパルス幅を、球送り許可信号が発射許可状態となっている時間より短く設定することで、確実に球送り処理を行うことができ、確実に発射を行うことができる。
【０２４２】
（１１）また、遊技者が発射ハンドル８を回転開始したことを検知する発射スタートスイッチ１０ｊを、直線運動するラック１０ｉの移動によりオン／オフするように構成したことで、例えば発射ハンドル８にガタツキや劣化が生じたような場合であっても、遊技球の打ち出しに適した発射スタート位置を正確に検知することが可能となる。これにより、常に同じハンドル位置で遊技球を発射開始することが可能となる。さらに、発射ハンドル８内の機構が簡素になり、発射ハンドル８の組み付け性を向上させることができる。また、発射停止スイッチ８ｂをタッチスイッチ回路に組み込み、タッチスイッチ８ａと直列的に接続することで、回路構成を簡略化することができる。
【０２４３】
（１２）加えて、本実施例の遊技機では、図柄表示装置３１が中当たり図柄（ここでは、左領域３１ａ、中央領域３１ｂ、右領域３１ｃの各図柄が「３」の図柄で揃った状態）で停止表示された場合には、第１役物作動口３２が第２のパターンで開放した状態となり遊技球が入球し易くなる。また、図柄表示装置３１が大当たり図柄（ここでは、左領域３１ａ、中央領域３１ｂ、右領域３１ｃの図柄がいずれも「７」で揃った状態）で停止表示された場合には、更に遊技球が入球し易い第１のパターンで第１役物作動口３２が開放した状態となるとともに、誘導増加装置作動領域４１ａの動作パターンも遊技球が入球し易い動作パターンとなる。そして、このような状態は、開放中の第１役物作動口３２に遊技球が入球するか、あるいは所定回数（ここでは、３回）の単位遊技が終了するまで継続される。すなわち、開放中の第１役物作動口３２に遊技球が入球していないか、あるいは所定回数（ここでは、３回）の単位遊技が終了していない場合は、第１役物作動口３２が開放状態のまま、あるいは誘導増加装置作動領域４１ａの動作が遊技球の入球し易い動作パターンのまま、新たな単位遊技が開始されることになる。その結果、遊技内容に変化を付けることができ、遊技者の興趣を効果的に高めることが可能となる。更に、本実施例の遊技機では、特別遊技状態中（誘導増加装置作動中）に誘導図柄を変動させると、誘導図柄が大当たり図柄の組合せで停止表示して、第１役物作動口を第１のパターンで開放するとともに、誘導増加装置作動領域４１ａを遊技球の入球し易い動作パターンで動作させる。これにより、特別遊技状態終了後の最初の単位遊技で、第１役物作動口を第１のパターンで開放するとともに誘導増加装置作動領域４１ａを遊技球の入球し易い動作パターンとしておくことが可能となるので、特別遊技状態を連続して発生させる連荘への期待感を格段と高めることができ、遊技者の興趣をより高めることができる。
【０２４４】
以上、本発明についての各種の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。例えば、上述した実施例では、大当たり図柄を「７」の１種類、中当たり図柄を「３」の１種類としていたが、大当たり図柄を「１」、「３」、「５」、「７」、「９」の５種類、中当たり図柄を「０」、「２」、「４」、「６」、「８」の５種類としても良い。また、上述した実施例では、図柄表示装置３１の３つの表示領域の全てに同一の図柄が停止表示された場合に当たりとしていたが、３つの表示領域のそれぞれに異なる図柄が特定の組合せで停止表示された場合（例えば、「１２３」や「３１５」など）に当たりとしても良い。
【０２４５】
また、上述した実施例では、一単位遊技で１５個の遊技球を発射する組合せ式遊技機に本発明を適用した場合について説明した。しかし、こうした組合せ式遊技機に限らず、例えば一単位遊技で１６個の遊技球を発射する組合せ式遊技機に適用しても良いことは言うまでもない。
【図面の簡単な説明】
【０２４６】
【図１】本実施例の組合せ式遊技機の正面図である。
【図２】本実施例の組合せ式遊技機の中枠を正面側からみた斜視図である。
【図３】本実施例の組合せ式遊技機の中枠を背面側からみた斜視図である。
【図４】本実施例の組合せ式遊技機の発射レール１１の拡大図である。
【図５】発射装置ユニットの発射ハンドルを回転させていない場合のピニオンおよびラック部分の拡大図である。
【図６】発射装置ユニットの発射ハンドルを回転させている場合のピニオンおよびラック部分の拡大図である。
【図７】本実施例の組合せ式遊技機に投入された遊技球が球送り装置から発射装置ユニットに供給される様子を示す説明図である。
【図８】本実施例の組合せ式遊技機に搭載された遊技盤の盤面を模式的に示した正面図である。
【図９】本実施例の組合せ式遊技機に搭載された図柄表示装置において誘導図柄が表示される様子を例示する説明図である。
【図１０】本実施例の組合せ式遊技機に搭載された特別遊技装置の構成を示す斜視図である。
【図１１】本実施例の組合せ式遊技機の裏機構盤の正面図である。
【図１２】本実施例の組合せ式遊技機に搭載された賞球タンクおよびタンクレールを上面側から見た説明図である。
【図１３】本実施例の組合せ式遊技機に搭載されたケースレールの形状を示す概念図である。
【図１４】本実施例の組合せ式遊技機に搭載された遊技球払出装置の外観を示す斜視図である。
【図１５】本実施例の組合せ式遊技機に搭載された遊技球払出装置の分解斜視図である。
【図１６】払出モータの払出速度と払出停止時間との関係を示す説明図である。
【図１７】本実施例の組合せ式遊技機に搭載された電子制御装置の概略構成を示すブロック図である。
【図１８】主制御部の主制御基板に搭載されたＣＰＵの構成を示すブロック図である。
【図１９】盤面中継基板に接続された各種遊技装置を示すブロック図である。
【図２０】遊技枠中継基板に対する信号の入出力を示すブロック図である。
【図２１】払出制御部に対する信号の入出力を示すブロック図である。
【図２２】払出センサから出力される信号の流れを示すブロック図である。
【図２３】払出制御部から主制御部にパルス信号が送信される様子を示すタイミングチャートである。
【図２４】払出制御基板においてコネクタの接続を確認する様子を示す説明図である。
【図２５】発射制御部に接続された各種遊技装置を示すブロック図である。
【図２６】発射制御部の回路構成を概念的に示す説明図である。
【図２７】発射制御部における球送り許可信号と基準クロック信号との関係を示すタイミングチャートである。
【図２８】音ランプ制御部に接続された各種遊技装置を示すブロック図である。
【図２９】図柄制御部に接続された各種遊技装置を示すブロック図である。
【図３０】図柄制御に関するコマンドの流れを示すブロック図である。
【図３１】遊技確認時間について説明するための説明図である。
【図３２】電源オン時における発射制御を示すタイミングチャートである。
【図３３】連続動作中における発射制御を示すタイミングチャートである。
【図３４】発射を中断した場合の発射制御を示すタイミングチャートである。
【図３５】発射を再開する場合の発射制御を示すタイミングチャートである。
【図３６】規定数の遊技球を発射終了した場合の発射制御を示すタイミングチャートである。
【図３７】主制御部のＲＯＭに格納されたプログラムに基づいてＣＰＵが実行するメインジョブの一例を示すフロー図である。
【図３８】メインジョブ中で行われる電源投入処理の流れを示すフロー図である。
【図３９】メインジョブ中で行われる遊技開始処理の流れを示すフロー図である。
【図４０】メインジョブ中で行われるゲーム管理処理の流れを示すフロー図である。
【図４１】メインジョブ中で行われる入賞図柄処理の流れを示すフロー図である。
【図４２】メインジョブ中で行われる役物遊技処理の流れを示すフロー図である。
【図４３】メインジョブ中で行われる得点増加装置処理の流れを示すフロー図である。
【図４４】メインジョブ中で行われる誘導増加装置処理の流れを示すフロー図である。
【図４５】特別遊技装置における誘導増加装置作動領域の動作パターンを例示する説明図である。
【図４６】メインジョブ中で行われる誘導図柄および役物誘導装置処理の前半部分の処理を示すフロー図である。
【図４７】メインジョブ中で行われる誘導図柄および役物誘導装置処理の後半部分の処理を示すフロー図である。
【図４８】誘導図柄および役物誘導装置処理中で行われる誘導図柄当否判定処理の流れを示すフロー図である。
【図４９】誘導図柄および役物誘導装置処理中で行われるガイド処理の流れを示すフロー図である。
【図５０】メインジョブ中で行われる電源断発生時処理の流れを示すフロー図である。
【図５１】第１役物誘導装置処理の流れを示すフロー図である。
【図５２】第１役物作動口の開放パターンの他の態様を例示した説明図である。
【符号の説明】
【０２４７】
１  …遊技機（組合せ式遊技機）
１０  …発射装置ユニット（遊技球発射手段）
２０  …遊技盤
２４  …１６連入球口（入球領域）
２５  …１６連入球口ＬＥＤ表示部（入賞情報表示手段）
２９  …誘導図柄作動ゲート
３１  …図柄表示装置（可変表示手段）
３２  …第１役物作動口（可変入球口）
３６  …特別遊技装置（特別遊技状態発生手段）
４１ａ…誘導増加装置作動領域（特定の領域）
１０９…遊技球払出装置
２００…主制御部（可変入球手段、特別遊技状態発生手段、特定領域移動手段）
２３０…払出制御部
２５０…発射制御部
２６０…音ランプ制御部
２８０…図柄制御部
【図１】
2005205052.tif 000003
【図２】
2005205052.tif 000004
【図３】
2005205052.tif 000005
【図４】
2005205052.tif 000006
【図５】
2005205052.tif 000007
【図６】
2005205052.tif 000008
【図７】
2005205052.tif 000009
【図８】
2005205052.tif 000010
【図９】
2005205052.tif 000011
【図１０】
2005205052.tif 000012
【図１１】
2005205052.tif 000013
【図１２】
2005205052.tif 000014
【図１３】
2005205052.tif 000015
【図１４】
2005205052.tif 000016
【図１５】
2005205052.tif 000017
【図１６】
2005205052.tif 000018
【図１７】
2005205052.tif 000019
【図１８】
2005205052.tif 000020
【図１９】
2005205052.tif 000021
【図２０】
2005205052.tif 000022
【図２１】
2005205052.tif 000023
【図２２】
2005205052.tif 000024
【図２３】
2005205052.tif 000025
【図２４】
2005205052.tif 000026
【図２５】
2005205052.tif 000027
【図２６】
2005205052.tif 000028
【図２７】
2005205052.tif 000029
【図２８】
2005205052.tif 000030
【図２９】
2005205052.tif 000031
【図３０】
2005205052.tif 000032
【図３１】
2005205052.tif 000033
【図３２】
2005205052.tif 000034
【図３３】
2005205052.tif 000035
【図３４】
2005205052.tif 000036
【図３５】
2005205052.tif 000037
【図３６】
2005205052.tif 000038
【図３７】
2005205052.tif 000039
【図３８】
2005205052.tif 000040
【図３９】
2005205052.tif 000041
【図４０】
2005205052.tif 000042
【図４１】
2005205052.tif 000043
【図４２】
2005205052.tif 000044
【図４３】
2005205052.tif 000045
【図４４】
2005205052.tif 000046
【図４５】
2005205052.tif 000047
【図４６】
2005205052.tif 000048
【図４７】
2005205052.tif 000049
【図４８】
2005205052.tif 000050
【図４９】
2005205052.tif 000051
【図５０】
2005205052.tif 000052
【図５１】
2005205052.tif 000053
【図５２】
2005205052.tif 000054